(57)【要約】  本発明は、その表面が少なくとも１つの抗再狭窄有効成分と少なくとも１つの輸送促進分子分散剤でコーティングされ、圧着ステントを有するまたは有さないバルーンカテーテル、ならびにこれらの医療機器の作成方法に関する。【特許請求の範囲】
【請求項１】
圧着ステントを有するまたは有さないカテーテルバルーンであって、
前記カテーテルバルーンの表面は、少なくとも１つの抗再狭窄成分と少なくとも１つの輸送促進分子分散剤で少なくとも部分的にコーティングされ、
前記少なくとも１つの輸送促進分子分散剤は、少なくとも１つの一般式（Ｉ）
【化１】
2013539371.tif 000011
（式中、
Ｘ1は、以下の残基の１つを表し、
−Ｌ1−Ｒ18、−Ｃ（Ｒ3）（Ｒ4）−Ｌ1−Ｒ18、−Ｌ1−Ｃ（Ｒ3）（Ｒ4）−Ｒ18、−Ｃ（Ｒ3）（Ｒ4）−Ｌ1−Ｃ（Ｒ5）（Ｒ6）−Ｒ18、−Ｌ1−Ｙ−Ｒ18、−Ｙ−Ｌ1−Ｒ18、−Ｙ−Ｃ（Ｒ3）（Ｒ4）−Ｌ1−Ｒ18、−Ｃ（Ｒ3）（Ｒ4）−Ｙ−Ｌ1−Ｒ18、−Ｃ（Ｒ3）（Ｒ4）−Ｌ1−Ｙ−Ｒ18、−Ｙ−Ｌ1−Ｃ（Ｒ3）（Ｒ4）−Ｒ18、−Ｌ1−Ｙ−Ｃ（Ｒ3）（Ｒ4）−Ｒ18、−Ｌ1−Ｃ（Ｒ3）（Ｒ4）−Ｙ−Ｒ18、−Ｙ−Ｃ（Ｒ3）（Ｒ4）−Ｌ1−Ｃ（Ｒ5）（Ｒ6）−Ｒ18、−Ｃ（Ｒ3）（Ｒ4）−Ｙ−Ｌ1−Ｃ（Ｒ5）（Ｒ6）−Ｒ18、−Ｃ（Ｒ3）（Ｒ4）−Ｌ1−Ｙ−Ｃ（Ｒ5）（Ｒ6）−Ｒ18、−Ｃ（Ｒ3）（Ｒ4）−Ｌ1−Ｃ（Ｒ5）（Ｒ6）−Ｙ−Ｒ18、
Ｘ2は、以下の残基の１つを表し、
−Ｒ7、（−ＣＨ2−）p−Ｒ7、（−Ｏ−ＣＨ2−）p−Ｒ7、
Ｘ3は、以下の残基の１つを表し、
−Ｍ1−Ｒ26、−Ｍ1−Ｍ2−Ｒ26、−Ｍ1−（Ｍ2）r−Ｍ3−Ｒ26、−Ｍ1−（Ｍ2）r−Ｍ3−（Ｍ4）s−Ｒ26、
Ｘ4は、以下の残基の１つを表し、
−Ｌ2−Ｒ19、−Ｃ（Ｒ10）（Ｒ11）−Ｌ2−Ｒ19、−Ｌ2−Ｃ（Ｒ10）（Ｒ11）−Ｒ19、−Ｃ（Ｒ10）（Ｒ11）−Ｃ（Ｒ12）（Ｒ13）−Ｌ2−Ｒ19、−Ｃ（Ｒ10）（Ｒ11）−Ｌ2−Ｃ（Ｒ12）（Ｒ13）−Ｒ19、−Ｌ2−Ｃ（Ｒ10）（Ｒ11）−Ｃ（Ｒ12）（Ｒ13）−Ｒ19、
Ｌ1は、以下の基の１つを表し、
【化２】
2013539371.tif 000012
Ｌ2は、以下の基の１つを表し、
−Ｏ−ＣＯ−、−ＮＨ−ＣＯ−、−ＣＯ−、−Ｏ−、−ＮＨ−、−ＣＯ−Ｏ−、−ＣＯ−ＮＨ−、−ＮＨ−ＣＯ−Ｏ−、−Ｏ−ＣＯ−ＮＨ−、−Ｏ−ＣＯ−Ｏ−、−ＮＨ−ＣＯ−ＮＨ−、
Ｍ1は、以下の基の１つを表し、
【化３】
2013539371.tif 000013
Ｍ2は、以下の基の１つを表し、
−ＣＨ2−、−ＣＨ2−ＣＨ2−、−ＣＨ2−ＣＨ2−ＣＨ2−、−ＣＨ2−ＣＨ2−ＣＨ2−ＣＨ2−、−Ｏ−、−Ｏ−ＣＨ2−、−Ｏ−ＣＨ2−ＣＨ2−、−Ｏ−ＣＨ2−ＣＨ2−ＣＨ2−、−Ｏ−ＣＨ2−ＣＨ2−ＣＨ2−ＣＨ2−、−Ｏ−ＣＯ−、−Ｏ−ＣＯ−ＣＨ2−、−Ｏ−ＣＯ−ＣＨ2−ＣＨ2−、−Ｏ−ＣＯ−ＣＨ2−ＣＨ2−ＣＨ2−、−Ｏ−ＣＯ−ＣＨ2−ＣＨ2−ＣＨ2−ＣＨ2−、−ＣＯ−、−ＣＯ−ＣＨ2−、−ＣＯ−ＣＨ2−ＣＨ2−、−ＣＯ−ＣＨ2−ＣＨ2−ＣＨ2−、−ＣＯ−ＣＨ2−ＣＨ2−ＣＨ2−ＣＨ2−、
Ｍ3は、以下の基の１つを表し、
結合基、−ＮＨ−、−ＮＨ−ＣＯ−、−ＮＨ−ＣＯ−ＮＨ−、−ＮＨ−ＣＳ−、−ＮＨ−ＣＳ−ＮＨ−、−ＮＨ−Ｃ（ＮＨ）−ＮＨ−、
Ｍ4は、以下の基の１つを表し、
（−ＣＨ2−Ｏ−ＣＨ2−）t、（−Ｏ−ＣＨ2−ＣＨ2−）t、（−ＣＨ2−ＣＨ2−Ｏ−）t、
Ｙは、（−ＣＨ2−）m、（−ＣＨ2−Ｏ−）m、（−Ｏ−ＣＨ2−）m、（−ＣＨ2−ＣＨ2−Ｏ−）mまたは（−ＣＨ2−ＣＨ2−ＣＨ2−Ｏ−）mを表し、
Ｒ1〜Ｒ13は、相互に独立して以下の残基を表し、
−Ｒ14〜−Ｒ30、−ＯＨ、−ＯＣＨ3、−ＯＣ2Ｈ5、−ＯＣ3Ｈ7、−Ｏ−ｃｙｃｌｏ−Ｃ3Ｈ5、−ＯＣＨ（ＣＨ3）2、−ＯＣ（ＣＨ3）3、−ＯＣ4Ｈ9、−ＯＰｈ、−ＯＣＨ2−Ｐｈ、−ＯＣＰｈ3、−ＳＨ、−ＳＣＨ3、−ＳＣ2Ｈ5、−ＳＣ3Ｈ7、−Ｓ−ｃｙｃｌｏ−Ｃ3Ｈ5、−ＳＣＨ（ＣＨ3）2、−ＳＣ（ＣＨ3）3、−ＮＯ2、−Ｆ、−Ｃｌ、−Ｂｒ、−Ｉ、−Ｐ（Ｏ）（ＯＨ）2、−Ｐ（Ｏ）（ＯＣＨ3）2、−Ｐ（Ｏ）（ＯＣ2Ｈ5）2、−Ｐ（Ｏ）（ＯＣＨ（ＣＨ3）2）2、−Ｃ（ＯＨ）［Ｐ（Ｏ）（ＯＨ）2］2、−Ｓｉ（ＣＨ3）2（Ｃ（ＣＨ3）3）、−Ｓｉ（Ｃ2Ｈ5）3、−Ｓｉ（ＣＨ3）3、−Ｎ3、−ＣＮ、−ＯＣＮ、−ＮＣＯ、−ＳＣＮ、−ＮＣＳ、−ＣＨＯ、−ＣＯＣＨ3、−ＣＯＣ2Ｈ5、−ＣＯＣ3Ｈ7、−ＣＯ−ｃｙｃｌｏ−Ｃ3Ｈ5、−ＣＯＣＨ（ＣＨ3）2、−ＣＯＣ（ＣＨ3）3、−ＣＯＯＨ、−ＣＯＣＮ、−ＣＯＯＣＨ3、−ＣＯＯＣ2Ｈ5、−ＣＯＯＣ3Ｈ7、−ＣＯＯ−ｃｙｃｌｏ−Ｃ3Ｈ5、−ＣＯＯＣＨ（ＣＨ3）2、−ＣＯＯＣ（ＣＨ3）3、−Ｏ−ＣＯ−Ｒ14、−ＣＯＮＨ2、−ＣＯＮＨＣＨ3、−ＣＯＮＨＣ2Ｈ5、−ＣＯＮＨＣ3Ｈ7、−ＣＯＮＨ−ｃｙｃｌｏ−Ｃ3Ｈ5、−ＣＯＮＨ［ＣＨ（ＣＨ3）2］、
−ＣＯＮＨ［Ｃ（ＣＨ3）3］、−ＣＯＮ（ＣＨ3）2、−ＣＯＮ（Ｃ2Ｈ5）2、−ＣＯＮ（Ｃ3Ｈ7）2、−ＣＯＮ（ｃｙｃｌｏ−Ｃ3Ｈ5）2、−ＣＯＮ［ＣＨ（ＣＨ3）2］2、−ＣＯＮ［Ｃ（ＣＨ3）3］2、−ＮＨＣＯＣＨ3、−ＮＨＣＯＣ2Ｈ5、−ＮＨＣＯＣ3Ｈ7、−ＮＨＣＯ−ｃｙｃｌｏ−Ｃ3Ｈ5、−ＮＨＣＯ−ＣＨ（ＣＨ3）2、−ＮＨＣＯ−Ｃ（ＣＨ3）3、−ＮＨＣＯ−ＯＣＨ3、−ＮＨＣＯ−ＯＣ2Ｈ5、−ＮＨＣＯ−ＯＣ3Ｈ7、−ＮＨＣＯ−Ｏ−ｃｙｃｌｏ−Ｃ3Ｈ5、−ＮＨＣＯ−ＯＣＨ（ＣＨ3）2、−ＮＨＣＯ−ＯＣ（ＣＨ3）3、−ＮＨ2、−ＮＨＣＨ3、−ＮＨＣ2Ｈ5、−ＮＨＣ3Ｈ7、−ＮＨ−ｃｙｃｌｏ−Ｃ3Ｈ5、−ＮＨＣＨ（ＣＨ3）2、−ＮＨＣ（ＣＨ3）3、−Ｎ（ＣＨ3）2、−Ｎ（Ｃ2Ｈ5）2、−Ｎ（Ｃ3Ｈ7）2、−Ｎ（ｃｙｃｌｏ−Ｃ3Ｈ5）2、−Ｎ［ＣＨ（ＣＨ3）2］2、−Ｎ［Ｃ（ＣＨ3）3］2、−ＳＯＣＨ3、−ＳＯＣ2Ｈ5、−ＳＯＣ3Ｈ7、
−ＳＯ−ｃｙｃｌｏ−Ｃ3Ｈ5、−ＳＯＣＨ（ＣＨ3）2、−ＳＯＣ（ＣＨ3）3、−ＳＯ2ＣＨ3、−ＳＯ2Ｃ2Ｈ5、−ＳＯ2Ｃ3Ｈ7、−ＳＯ2−ｃｙｃｌｏ−Ｃ3Ｈ5、−ＳＯ2ＣＨ（ＣＨ3）2、−ＳＯ2Ｃ（ＣＨ3）3、−ＳＯ3Ｈ、−ＳＯ3ＣＨ3、−ＳＯ3Ｃ2Ｈ5、−ＳＯ3Ｃ3Ｈ7、−ＳＯ3−ｃｙｃｌｏ−Ｃ3Ｈ5、−ＳＯ3ＣＨ（ＣＨ3）2、−ＳＯ3Ｃ（ＣＨ3）3、−ＳＯ2ＮＨ2、−ＯＣＦ3、−ＯＣ2Ｆ5、−Ｏ−ＣＯＯＣＨ3、−Ｏ−ＣＯＯＣ2Ｈ5、−Ｏ−ＣＯＯＣ3Ｈ7、−Ｏ−ＣＯＯ−ｃｙｃｌｏ−Ｃ3Ｈ5、−Ｏ−ＣＯＯＣＨ（ＣＨ3）2、−Ｏ−ＣＯＯＣ（ＣＨ3）3、−ＮＨ−ＣＯ−ＮＨ2、−ＮＨ−ＣＯ−ＮＨＣＨ3、−ＮＨ−ＣＯ−ＮＨＣ2Ｈ5、−ＮＨ−ＣＯ−ＮＨＣ3Ｈ7、−ＮＨ−ＣＯ−ＮＨ−ｃｙｃｌｏ−Ｃ3Ｈ5、−ＮＨ−ＣＯ−ＮＨ［ＣＨ（ＣＨ3）2］、−ＮＨ−ＣＯ−ＮＨ［Ｃ（ＣＨ3）3］、−ＮＨ−ＣＯ−Ｎ（ＣＨ3）2、−ＮＨ−ＣＯ−Ｎ（Ｃ2Ｈ5）2、
−ＮＨ−ＣＯ−Ｎ（Ｃ3Ｈ7）2、−ＮＨ−ＣＯ−Ｎ（ｃｙｃｌｏ−Ｃ3Ｈ5）2、−ＮＨ−ＣＯ−Ｎ［ＣＨ（ＣＨ3）2］2、−ＮＨ−ＣＯ−Ｎ［Ｃ（ＣＨ3）3］2、−ＮＨ−ＣＳ−ＮＨ2、−ＮＨ−ＣＳ−ＮＨＣＨ3、−ＮＨ−ＣＳ−ＮＨＣ2Ｈ5、−ＮＨ−ＣＳ−ＮＨＣ3Ｈ7、−ＮＨ−ＣＳ−ＮＨ−ｃｙｃｌｏ−Ｃ3Ｈ5、−ＮＨ−ＣＳ−ＮＨ［ＣＨ（ＣＨ3）2］、−ＮＨ−ＣＳ−ＮＨ［Ｃ（ＣＨ3）3］、−ＮＨ−ＣＳ−Ｎ（ＣＨ3）2、−ＮＨ−ＣＳ−Ｎ（Ｃ2Ｈ5）2、−ＮＨ−ＣＳ−Ｎ（Ｃ3Ｈ7）2、−ＮＨ−ＣＳ−Ｎ（ｃｙｃｌｏ−Ｃ3Ｈ5）2、−ＮＨ−ＣＳ−Ｎ［ＣＨ（ＣＨ3）2］2、−ＮＨ−ＣＳ−Ｎ［Ｃ（ＣＨ3）3］2、−ＮＨ−Ｃ（＝ＮＨ）−ＮＨ2、−ＮＨ−Ｃ（＝ＮＨ）−ＮＨＣＨ3、−ＮＨ−Ｃ（＝ＮＨ）−ＮＨＣ2Ｈ5、−ＮＨ−Ｃ（＝ＮＨ）−ＮＨＣ3Ｈ7、−ＮＨ−Ｃ（＝ＮＨ）−ＮＨ−ｃｙｃｌｏ−Ｃ3Ｈ5、−ＮＨ−Ｃ（＝ＮＨ）−ＮＨ［ＣＨ（ＣＨ3）2］、−ＮＨ−Ｃ（＝ＮＨ）−ＮＨ［Ｃ（ＣＨ3）3］、−ＮＨ−Ｃ（＝ＮＨ）−Ｎ（ＣＨ3）2、−ＮＨ−Ｃ（＝ＮＨ）−Ｎ（Ｃ2Ｈ5）2、−ＮＨ−Ｃ（＝ＮＨ）−Ｎ（Ｃ3Ｈ7）2、−ＮＨ−Ｃ（＝ＮＨ）−Ｎ（ｃｙｃｌｏ−Ｃ3Ｈ5）2、−ＮＨ−Ｃ（＝ＮＨ）−Ｎ［ＣＨ（ＣＨ3）2］2、−ＮＨ−Ｃ（＝ＮＨ）−Ｎ［Ｃ（ＣＨ3）3］2、
−Ｏ−ＣＯ−ＮＨ2、−Ｏ−ＣＯ−ＮＨＣＨ3、−Ｏ−ＣＯ−ＮＨＣ2Ｈ5、−Ｏ−ＣＯ−ＮＨＣ3Ｈ7、−Ｏ−ＣＯ−ＮＨ−ｃｙｃｌｏ−Ｃ3Ｈ5、−Ｏ−ＣＯ−ＮＨ［ＣＨ（ＣＨ3）2］、−Ｏ−ＣＯ−ＮＨ［Ｃ（ＣＨ3）3］、−Ｏ−ＣＯ−Ｎ（ＣＨ3）2、−Ｏ−ＣＯ−Ｎ（Ｃ2Ｈ5）2、−Ｏ−ＣＯ−Ｎ（Ｃ3Ｈ7）2、−Ｏ−ＣＯ−Ｎ（ｃｙｃｌｏ−Ｃ3Ｈ5）2、−Ｏ−ＣＯ−Ｎ［ＣＨ（ＣＨ3）2］2、−Ｏ−ＣＯ−Ｎ［Ｃ（ＣＨ3）3］2、−Ｏ−ＣＯ−ＯＣＨ3、−Ｏ−ＣＯ−ＯＣ2Ｈ5、−Ｏ−ＣＯ−ＯＣ3Ｈ7、−Ｏ−ＣＯ−Ｏ−ｃｙｃｌｏ−Ｃ3Ｈ5、−Ｏ−ＣＯ−ＯＣＨ（ＣＨ3）2、−Ｏ−ＣＯ−ＯＣ（ＣＨ3）3、
Ｒ14〜Ｒ30は、相互に独立して以下の残基を表し、
−ＣＨ2Ｆ、−ＣＨＦ2、−ＣＦ3、−ＣＨ2Ｃｌ、−ＣＨ2Ｂｒ、−ＣＨ2Ｉ、−ＣＨ2−ＣＨ2Ｆ、−ＣＨ2−ＣＨＦ2、−ＣＨ2−ＣＦ3、−ＣＨ2−ＣＨ2Ｃｌ、−ＣＨ2−ＣＨ2Ｂｒ、−ＣＨ2−ＣＨ2Ｉ、ｃｙｃｌｏ−Ｃ3Ｈ5、ｃｙｃｌｏ−Ｃ4Ｈ7、ｃｙｃｌｏ−Ｃ5Ｈ9、ｃｙｃｌｏ−Ｃ6Ｈ11、ｃｙｃｌｏ−Ｃ7Ｈ13、ｃｙｃｌｏ−Ｃ8Ｈ15、−Ｐｈ、−ＣＨ2−Ｐｈ、−ＣＰｈ3、−Ｈ、−ＣＨ3、−Ｃ2Ｈ5、−Ｃ3Ｈ7、−ＣＨ（ＣＨ3）2、−Ｃ4Ｈ9、−ＣＨ2−ＣＨ（ＣＨ3）2、−ＣＨ（ＣＨ3）−Ｃ2Ｈ5、−Ｃ（ＣＨ3）3、−Ｃ5Ｈ11、−ＣＨ（ＣＨ3）−Ｃ3Ｈ7、−ＣＨ2−ＣＨ（ＣＨ3）−Ｃ2Ｈ5、−ＣＨ（ＣＨ3）−ＣＨ（ＣＨ3）2、−Ｃ（ＣＨ3）2−Ｃ2Ｈ5、−ＣＨ2−Ｃ（ＣＨ3）3、−ＣＨ（Ｃ2Ｈ5）2、−Ｃ2Ｈ4−ＣＨ（ＣＨ3）2、−Ｃ6Ｈ13、−Ｃ7Ｈ15、−Ｃ8Ｈ17、−Ｃ3Ｈ6−ＣＨ（ＣＨ3）2、−Ｃ2Ｈ4−ＣＨ（ＣＨ3）−Ｃ2Ｈ5、−ＣＨ（ＣＨ3）−Ｃ4Ｈ9、−ＣＨ2−ＣＨ（ＣＨ3）−Ｃ3Ｈ7、−ＣＨ（ＣＨ3）−ＣＨ2−ＣＨ（ＣＨ3）2、−ＣＨ（ＣＨ3）−ＣＨ（ＣＨ3）−Ｃ2Ｈ5、−ＣＨ2−ＣＨ（ＣＨ3）−ＣＨ（ＣＨ3）2、−ＣＨ2−Ｃ（ＣＨ3）2−Ｃ2Ｈ5、−Ｃ（ＣＨ3）2−Ｃ3Ｈ7、
−Ｃ（ＣＨ3）2−ＣＨ（ＣＨ3）2、−Ｃ2Ｈ4−Ｃ（ＣＨ3）3、−ＣＨ（ＣＨ3）−Ｃ（ＣＨ3）3、−ＣＨ＝ＣＨ2、−ＣＨ2−ＣＨ＝ＣＨ2、−Ｃ（ＣＨ3）＝ＣＨ2、−ＣＨ＝ＣＨ−ＣＨ3、−Ｃ2Ｈ4−ＣＨ＝ＣＨ2、−ＣＨ2−ＣＨ＝ＣＨ−ＣＨ3、−ＣＨ＝ＣＨ−Ｃ2Ｈ5、−ＣＨ2−Ｃ（ＣＨ3）＝ＣＨ2、−ＣＨ（ＣＨ3）−ＣＨ＝ＣＨ、−ＣＨ＝Ｃ（ＣＨ3）2、−Ｃ（ＣＨ3）＝ＣＨ−ＣＨ3、−ＣＨ＝ＣＨ−ＣＨ＝ＣＨ2、−Ｃ3Ｈ6−ＣＨ＝ＣＨ2、−Ｃ2Ｈ4−ＣＨ＝ＣＨ−ＣＨ3、−ＣＨ2−ＣＨ＝ＣＨ−Ｃ2Ｈ5、−ＣＨ＝ＣＨ−Ｃ3Ｈ7、−ＣＨ2−ＣＨ＝ＣＨ−ＣＨ＝ＣＨ2、−ＣＨ＝ＣＨ−ＣＨ＝ＣＨ−ＣＨ3、−ＣＨ＝ＣＨ−ＣＨ2−ＣＨ＝ＣＨ2、−Ｃ（ＣＨ3）＝ＣＨ−ＣＨ＝ＣＨ2、−ＣＨ＝Ｃ（ＣＨ3）−ＣＨ＝ＣＨ2、−ＣＨ＝ＣＨ−Ｃ（ＣＨ3）＝ＣＨ2、−Ｃ2Ｈ4−Ｃ（ＣＨ3）＝ＣＨ2、−ＣＨ2−ＣＨ（ＣＨ3）−ＣＨ＝ＣＨ2、−ＣＨ（ＣＨ3）−ＣＨ2−ＣＨ＝ＣＨ2、−ＣＨ2−ＣＨ＝Ｃ（ＣＨ3）2、−ＣＨ2−Ｃ（ＣＨ3）＝ＣＨ−ＣＨ3、−ＣＨ（ＣＨ3）−ＣＨ＝ＣＨ−ＣＨ3、−ＣＨ＝ＣＨ−ＣＨ（ＣＨ3）2、−ＣＨ＝Ｃ（ＣＨ3）−Ｃ2Ｈ5、−Ｃ（ＣＨ3）＝ＣＨ−Ｃ2Ｈ5、
−Ｃ（ＣＨ3）＝Ｃ（ＣＨ3）2、−Ｃ（ＣＨ3）2−ＣＨ＝ＣＨ2、−ＣＨ（ＣＨ3）−Ｃ（ＣＨ3）＝ＣＨ2、−Ｃ（ＣＨ3）＝ＣＨ−ＣＨ＝ＣＨ2、−ＣＨ＝Ｃ（ＣＨ3）−ＣＨ＝ＣＨ2、−ＣＨ＝ＣＨ−Ｃ（ＣＨ3）＝ＣＨ2、−Ｃ4Ｈ8−ＣＨ＝ＣＨ2、−Ｃ3Ｈ6−ＣＨ＝ＣＨ−ＣＨ3、−Ｃ2Ｈ4−ＣＨ＝ＣＨ−Ｃ2Ｈ5、−ＣＨ2−ＣＨ＝ＣＨ−Ｃ3Ｈ7、−ＣＨ＝ＣＨ−Ｃ4Ｈ9、−Ｃ3Ｈ6−Ｃ（ＣＨ3）＝ＣＨ2、−Ｃ2Ｈ4−ＣＨ（ＣＨ3）−ＣＨ＝ＣＨ2、−ＣＨ2−ＣＨ（ＣＨ3）−ＣＨ2−ＣＨ＝ＣＨ2、−ＣＨ（ＣＨ3）−Ｃ2Ｈ4−ＣＨ＝ＣＨ2、−Ｃ2Ｈ4−ＣＨ＝Ｃ（ＣＨ3）2、−Ｃ2Ｈ4−Ｃ（ＣＨ3）＝ＣＨ−ＣＨ3、−ＣＨ2−ＣＨ（ＣＨ3）−ＣＨ＝ＣＨ−ＣＨ3、−ＣＨ（ＣＨ3）−ＣＨ2−ＣＨ＝ＣＨ−ＣＨ3、−ＣＨ2−ＣＨ＝ＣＨ−ＣＨ（ＣＨ3）2、−ＣＨ2−ＣＨ＝Ｃ（ＣＨ3）−Ｃ2Ｈ5、−ＣＨ2−Ｃ（ＣＨ3）＝ＣＨ−Ｃ2Ｈ5、−ＣＨ（ＣＨ3）−ＣＨ＝ＣＨ−Ｃ2Ｈ5、−ＣＨ＝ＣＨ−ＣＨ2−ＣＨ（ＣＨ3）2、−ＣＨ＝ＣＨ−ＣＨ（ＣＨ3）−Ｃ2Ｈ5、−ＣＨ＝Ｃ（ＣＨ3）−Ｃ3Ｈ7、−Ｃ（ＣＨ3）＝ＣＨ−Ｃ3Ｈ7、−ＣＨ2−ＣＨ（ＣＨ3）−Ｃ（ＣＨ3）＝ＣＨ2、−ＣＨ（ＣＨ3）−ＣＨ2−Ｃ（ＣＨ3）＝ＣＨ2、−ＣＨ（ＣＨ3）−ＣＨ（ＣＨ3）−ＣＨ＝ＣＨ2、
−ＣＨ2−Ｃ（ＣＨ3）2−ＣＨ＝ＣＨ2、−Ｃ（ＣＨ3）2−ＣＨ2−ＣＨ＝ＣＨ2、−ＣＨ2−Ｃ（ＣＨ3）＝Ｃ（ＣＨ3）2、−ＣＨ（ＣＨ3）−ＣＨ＝Ｃ（ＣＨ3）2、−Ｃ（ＣＨ3）2−ＣＨ＝ＣＨ−ＣＨ3、−ＣＨ（ＣＨ3）−Ｃ（ＣＨ3）＝ＣＨ−ＣＨ3、−ＣＨ＝Ｃ（ＣＨ3）−ＣＨ（ＣＨ3）2、−Ｃ（ＣＨ3）＝ＣＨ−ＣＨ（ＣＨ3）2、−Ｃ（ＣＨ3）＝Ｃ（ＣＨ3）−Ｃ2Ｈ5、−ＣＨ＝ＣＨ−Ｃ（ＣＨ3）3、−Ｃ（ＣＨ3）2−Ｃ（ＣＨ3）＝ＣＨ2、−ＣＨ（Ｃ2Ｈ5）−Ｃ（ＣＨ3）＝ＣＨ2、−Ｃ（ＣＨ3）（Ｃ2Ｈ5）−ＣＨ＝ＣＨ2、−ＣＨ（ＣＨ3）−Ｃ（Ｃ2Ｈ5）＝ＣＨ2、−ＣＨ2−Ｃ（Ｃ3Ｈ7）＝ＣＨ2、
−ＣＨ2−Ｃ（Ｃ2Ｈ5）＝ＣＨ−ＣＨ3、−ＣＨ（Ｃ2Ｈ5）−ＣＨ＝ＣＨ−ＣＨ3、−Ｃ（Ｃ4Ｈ9）＝ＣＨ2、−Ｃ（Ｃ3Ｈ7）＝ＣＨ−ＣＨ3、−Ｃ（Ｃ2Ｈ5）＝ＣＨ−Ｃ2Ｈ5、−Ｃ（Ｃ2Ｈ5）＝Ｃ（ＣＨ3）2、−Ｃ［Ｃ（ＣＨ3）3］＝ＣＨ2、−Ｃ［ＣＨ（ＣＨ3）（Ｃ2Ｈ5）］＝ＣＨ2、−Ｃ［ＣＨ2−ＣＨ（ＣＨ3）2］＝ＣＨ2、−Ｃ2Ｈ4−ＣＨ＝ＣＨ−ＣＨ＝ＣＨ2、−ＣＨ2−ＣＨ＝ＣＨ−ＣＨ2−ＣＨ＝ＣＨ2、−ＣＨ＝ＣＨ−Ｃ2Ｈ4−ＣＨ＝ＣＨ2、−ＣＨ2−ＣＨ＝ＣＨ−ＣＨ＝ＣＨ−ＣＨ3、−ＣＨ＝ＣＨ−ＣＨ2−ＣＨ＝ＣＨ−ＣＨ3、−ＣＨ＝ＣＨ−ＣＨ＝ＣＨ−Ｃ2Ｈ5、−ＣＨ2−ＣＨ＝ＣＨ−Ｃ（ＣＨ3）＝ＣＨ2、−ＣＨ2−ＣＨ＝Ｃ（ＣＨ3）−ＣＨ＝ＣＨ2、−ＣＨ2−Ｃ（ＣＨ3）＝ＣＨ−ＣＨ＝ＣＨ2、−ＣＨ（ＣＨ3）−ＣＨ＝ＣＨ−ＣＨ＝ＣＨ2、−ＣＨ＝ＣＨ−ＣＨ2−Ｃ（ＣＨ3）＝ＣＨ2、−ＣＨ＝ＣＨ−ＣＨ（ＣＨ3）−ＣＨ＝ＣＨ2、−ＣＨ＝Ｃ（ＣＨ3）−ＣＨ2−ＣＨ＝ＣＨ2、−Ｃ（ＣＨ3）＝ＣＨ−ＣＨ2−ＣＨ＝ＣＨ2、−ＣＨ＝ＣＨ−ＣＨ＝Ｃ（ＣＨ3）2、−ＣＨ＝ＣＨ−Ｃ（ＣＨ3）＝ＣＨ−ＣＨ3、−ＣＨ＝Ｃ（ＣＨ3）−ＣＨ＝ＣＨ−ＣＨ3、−Ｃ（ＣＨ3）＝ＣＨ−ＣＨ＝ＣＨ−ＣＨ3、−ＣＨ＝Ｃ（ＣＨ3）−Ｃ（ＣＨ3）＝ＣＨ2、−Ｃ（ＣＨ3）＝ＣＨ−Ｃ（ＣＨ3）＝ＣＨ2、−Ｃ（ＣＨ3）＝Ｃ（ＣＨ3）−ＣＨ＝ＣＨ2、−ＣＨ＝ＣＨ−ＣＨ＝ＣＨ−ＣＨ＝ＣＨ2、−Ｃ≡ＣＨ、−Ｃ≡Ｃ−ＣＨ3、
−ＣＨ2−Ｃ≡ＣＨ、−Ｃ2Ｈ4−Ｃ≡ＣＨ、−ＣＨ2−Ｃ≡Ｃ−ＣＨ3、−Ｃ≡Ｃ−Ｃ2Ｈ5、−Ｃ3Ｈ6−Ｃ≡ＣＨ、−Ｃ2Ｈ4−Ｃ≡Ｃ−ＣＨ3、−ＣＨ2−Ｃ≡Ｃ−Ｃ2Ｈ5、−Ｃ≡Ｃ−Ｃ3Ｈ7、−ＣＨ（ＣＨ3）−Ｃ≡ＣＨ、−ＣＨ2−ＣＨ（ＣＨ3）−Ｃ≡ＣＨ、−ＣＨ（ＣＨ3）−ＣＨ2−Ｃ≡ＣＨ、−ＣＨ（ＣＨ3）−Ｃ≡Ｃ−ＣＨ3、−Ｃ4Ｈ8−Ｃ≡ＣＨ、−Ｃ3Ｈ6−Ｃ≡Ｃ−ＣＨ3、−Ｃ2Ｈ4−Ｃ≡Ｃ−Ｃ2Ｈ5、−ＣＨ2−Ｃ≡Ｃ−Ｃ3Ｈ7、−Ｃ≡Ｃ−Ｃ4Ｈ9、−Ｃ2Ｈ4−ＣＨ（ＣＨ3）−Ｃ≡ＣＨ、−ＣＨ2−ＣＨ（ＣＨ3）−ＣＨ2−Ｃ≡ＣＨ、−ＣＨ（ＣＨ3）−Ｃ2Ｈ4−Ｃ≡ＣＨ、−ＣＨ2−ＣＨ（ＣＨ3）−Ｃ≡Ｃ−ＣＨ3、−ＣＨ（ＣＨ3）−ＣＨ2−Ｃ≡Ｃ−ＣＨ3、−ＣＨ（ＣＨ3）−Ｃ≡Ｃ−Ｃ2Ｈ5、−ＣＨ2−Ｃ≡Ｃ−ＣＨ（ＣＨ3）2、−Ｃ≡Ｃ−ＣＨ（ＣＨ3）−Ｃ2Ｈ5、−Ｃ≡Ｃ−ＣＨ2−ＣＨ（ＣＨ3）2、−Ｃ≡Ｃ−Ｃ（ＣＨ3）3、−ＣＨ（Ｃ2Ｈ5）−Ｃ≡Ｃ−ＣＨ3、−Ｃ（ＣＨ3）2−Ｃ≡Ｃ−ＣＨ3、−ＣＨ（Ｃ2Ｈ5）−ＣＨ2−Ｃ≡ＣＨ、−ＣＨ2−ＣＨ（Ｃ2Ｈ5）−Ｃ≡ＣＨ、−Ｃ（ＣＨ3）2−ＣＨ2−Ｃ≡ＣＨ、−ＣＨ2−Ｃ（ＣＨ3）2−Ｃ≡ＣＨ、−ＣＨ（ＣＨ3）−ＣＨ（ＣＨ3）−Ｃ≡ＣＨ、−ＣＨ（Ｃ3Ｈ7）−Ｃ≡ＣＨ、−Ｃ（ＣＨ3）（Ｃ2Ｈ5）−Ｃ≡ＣＨ、−Ｃ≡Ｃ−Ｃ≡ＣＨ、−ＣＨ2−Ｃ≡Ｃ−Ｃ≡ＣＨ、
−Ｃ≡Ｃ−Ｃ≡Ｃ−ＣＨ3、−ＣＨ（Ｃ≡ＣＨ）2、−Ｃ2Ｈ4−Ｃ≡Ｃ−Ｃ≡ＣＨ、−ＣＨ2−Ｃ≡Ｃ−ＣＨ2−Ｃ≡ＣＨ、−Ｃ≡Ｃ−Ｃ2Ｈ4−Ｃ≡ＣＨ、−ＣＨ2−Ｃ≡Ｃ−Ｃ≡Ｃ−ＣＨ3、−Ｃ≡Ｃ−ＣＨ2−Ｃ≡Ｃ−ＣＨ3、−Ｃ≡Ｃ−Ｃ≡Ｃ−Ｃ2Ｈ5、−Ｃ≡Ｃ−ＣＨ（ＣＨ3）−Ｃ≡ＣＨ、−ＣＨ（ＣＨ3）−Ｃ≡Ｃ−Ｃ≡ＣＨ、−ＣＨ（Ｃ≡ＣＨ）−ＣＨ2−Ｃ≡ＣＨ、−Ｃ（Ｃ≡ＣＨ）2−ＣＨ3、−ＣＨ2−ＣＨ（Ｃ≡ＣＨ）2、−ＣＨ（Ｃ≡ＣＨ）−Ｃ≡Ｃ−ＣＨ3、
ここで、ｍは、１〜１０の整数であり、
ｎは、０〜５の整数であり、
ｐは、０〜３の整数であり、
ｑは、０〜４の整数であり、
ｒは、０または１を表し、
ｓは、０または１を表し、
ｔは、１〜１０の整数である）
の化合物であることを特徴とする、カテーテルバルーン。
【請求項２】
前記少なくとも１つの抗再狭窄成分は、前記少なくとも１つの輸送促進分子分散剤中に埋め込まれるかまたは貯蔵されていることを特徴とする、請求項１に記載のカテーテルバルーン。
【請求項３】
前記抗再狭窄成分と前記少なくとも１つの輸送促進分子分散剤の量の比率が、抗再狭窄成分：輸送促進分子分散剤＝９０重量％：１０重量％〜抗再狭窄成分：輸送促進分子分散剤＝１０重量％：９０重量％であることを特徴とする、請求項１または２に記載のカテーテルバルーン。
【請求項４】
前記少なくとも１つの抗再狭窄成分は、パクリタキセル、ドセタキセル、シロリムス、バイオリムスＡ９、ゾタロリムス、エベロリムス、ミオリムス、ノボリムス、ピメクロリムス、タクロリムス、リダホロリムス、およびテムシロリムスを含むかまたはこれらからなる群から選択されることを特徴とする、請求項１乃至３のいずれか一項に記載のカテーテルバルーン。
【請求項５】
前記少なくとも１つの抗再狭窄成分はパクリタキセルであることを特徴とする、請求項４に記載のカテーテルバルーン。
【請求項６】
前記少なくとも１つの抗再狭窄成分はシロリムスであることを特徴とする、請求項４に記載のカテーテルバルーン。
【請求項７】
前記一般式（Ｉ）の化合物の沸点は、（大気圧において）少なくとも５００℃であることを特徴とする、請求項１乃至６のいずれか一項に記載のカテーテルバルーン。
【請求項８】
前記一般式（Ｉ）の化合物は、７〜９個の酸素原子を含有していることを特徴とする、請求項１乃至７のいずれか一項に記載のカテーテルバルーン。
【請求項９】
前記一般式（Ｉ）の化合物のモル質量（分子量）は、少なくとも５００ｇ／ｍｏｌであることを特徴とする、請求項１乃至８のいずれか一項に記載のカテーテルバルーン。
【請求項１０】
前記一般式（Ｉ）の化合物の融点は、−６０℃超であることを特徴とする、請求項１乃至９のいずれか一項に記載のカテーテルバルーン。
【請求項１１】
前記一般式（Ｉ）の化合物の密度は、０．９５ｇ／ｃｍ3〜１．０５ｇ／ｃｍ3であることを特徴とする、請求項１乃至１０のいずれか一項に記載のカテーテルバルーン。
【請求項１２】
前記一般式（Ｉ）の化合物の引火点は、１００℃超であることを特徴とする、請求項１乃至１１のいずれか一項に記載のカテーテルバルーン。
【請求項１３】
前記一般式（Ｉ）の化合物の屈折率ｎ２０／Ｄは、１．４４０〜１．４６０であることを特徴とする、請求項１乃至１２のいずれか一項に記載のカテーテルバルーン。
【請求項１４】
ａ）バルーンカテーテルのバルーンを提供する工程と、
ｂ）溶剤又は溶剤混合物中に前記少なくとも１つの抗再狭窄成分と前記少なくとも１つの輸送促進分子分散剤とを含むコーティング溶液を供給する工程と、
ｃ）前記コーティング溶液を用いて、ディッピング法、スプレッド法、スプレー法、ブラシ法、またはピペット法で前記バルーンをコーティングする工程と、
ｄ）前記塗布されたコーティングを乾燥させる工程と、
を含む、請求項１乃至１３のいずれか一項に記載のカテーテルバルーンの作成方法。
【発明の詳細な説明】
【発明の詳細な説明】
【０００１】
［説明］
本発明は、生体に短期間接触する医療機器、例えばその表面が少なくとも１つの抗再狭窄有効成分と輸送促進分子分散剤でコーティングされ、圧着ステントを有するまたは有さないバルーンカテーテルと、これらの医療機器の作成方法、および懸念される体内管腔内再狭窄の予防または低減におけるこれらの医療機器の使用に関する。
［現況技術］
短期間ならびに長期間用の移植片（ステントまたはバルーンカテーテル）を血管内に導入した後、再狭窄として知られる血管の再閉塞が合併症として頻繁に生じる。関連する技術文献によれば、再狭窄は、血管径が５０％未満に減少することと定義することができる。これは経験的に決定されている。
【０００２】
狭窄の治療および再狭窄の予防または低減のために移植されるステント、または血管の拡張のために使用されるバルーンカテーテルにより、炎症反応が生じる。この炎症反応は、最初の７日間で治癒過程にとって重要な役割を果たす。続発する過程は、とりわけ、平滑筋細胞の増殖が加速し始める原因となる成長因子の分布と相互関係がある。このため、制御されない成長により短期的に早くも血管の再狭窄や新たな再閉塞を引き起こす。
【０００３】
薬物溶出性バルーンカテーテルは、薬剤でコーティングされた従来のステントの代替物である（「カルディオニューズ・レター（ＣａｒｄｉｏＮｅｗｓ  Ｌｅｔｔｅｒ）」、２００６年４月２１日）。しかし、薬剤および場合によっては高分子マトリックスでコーティングされた従来のバルーンカテーテルの問題点は、血流内への時期尚早な流出を防ぐため、および再狭窄を効果的に予防または低減するために２〜３分または僅か１分以内の拡張中に薬剤がバルーン表面から血管壁に適切に送達されることを確保するため、バルーンカテーテル挿入中の薬剤のバルーン表面への接着が十分に強固である点である（ＷＯ２００４０２８５８２Ａ１）。
【０００４】
しかし、従来技術の実施形態における主要な問題点は、せいぜい１分間の拡張時間中および場合により拡張の数回の繰り返し中に患部の血管部分に十分な抗再狭窄成分が送達されないため、圧着ステントを有さないカテーテルバルーンの拡張時でも再狭窄が効果的に回避されないことである。特に冠状動脈内で拡張を延長して使用した場合に心臓発作のリスクが高まることから、１つのまたは複数の薬剤が血管壁に移動する時間は合計でほんの少ししか残されていない。従来技術のその他の問題点としては、血管壁内に送達される１つのまたは複数の薬剤の量が少ないこと、用量が制御されないこと、バルーン材料の問題等が挙げられる。別の問題としては、標的部位への薬剤の送達が挙げられる。これは、バルーンカテーテルを血流中に挿入し標的部位まで誘導する間にコーティングが部分的に剥がれるため、患部に到達できる薬剤の量が不明なためである。従って、抗再狭窄治療用のこのようなコーティングされたカテーテルバルーンの効果は個別的であり制御されない。
【０００５】
カテーテルバルーンの表面からの薬剤の時期尚早な放出を効果的に低減し、かつ最も効果的な形態で１分未満の短い期間に薬剤をバルーン表面から血管壁上に送達することを確保する、コーティング・システムを提供することが、本発明の目的である。
【０００６】
本目的は、本発明の独立クレームの技術的教示により解決される。本発明のさらに有利な実施形態は、従属クレーム、説明、および実施例により定義される。
［本発明の説明］
驚くべきことに、抗再狭窄有効成分と、ポリマーではない輸送促進分子分散剤との組み合わせが、本目的を解決する可能性が最も高いことが見出された。
【０００７】
従って、本発明は、その表面が少なくとも１つの抗再狭窄成分と少なくとも１つの輸送促進分子分散剤で少なくとも部分的にコーティングされた、圧着ステントを有するまたは有さないカテーテルバルーンに関する。
【０００８】
従って、本発明は、抗再狭窄成分と輸送促進分子分散剤のコーティングを有し、圧着ステントを有するまたは有さないカテーテルバルーンに関する。この場合、このコーティングの組み合わせは、活性薬剤の十分な接着力と分解安定性を確保し、高い放出動態を示す。
【０００９】
本発明は、血流中での損失薬剤が皆無または皆無に近く、これにより標的部位における薬剤の量を正確に決定することができるため、有利である。さらに、バルーンカテーテルの血管壁接触時間が短くても、バルーンカテーテルの表面から血管壁への制御可能で最適な薬剤送達が確保される。加えて、輸送促進分子分散剤中の薬剤は、粒子または結晶および特に大きい粒子または結晶の形成を回避する形態をとる。これは、粒子および結晶、特に粒子および結晶は、もはや抗再狭窄効果を示さず、測定可能な治療効果を達成することなく、塗布される薬剤の量を増加させるだけであるためである。従って、拡張時に活性薬剤分子のみが血管壁に送達され、さらに約１分という非常に短い拡張時間中に輸送促進分子分散剤が薬剤を血管壁上に良好に移動させるため、輸送促進分子分散剤中に分散された微粒子薬剤または分子薬剤が好ましい。
【００１０】
従って、本発明は、薬剤溶出性コーティングを有するカテーテルバルーンに関する。本出願で使用される、カテーテルバルーンまたは従来のカテーテルバルーンという用語は、カテーテルバルーン、分岐バルーン、折り畳みバルーン、血管形成術用バルーン、ＰＴＣＡバルーン、ならびにスロット付きバルーンや針付きバルーン等の特殊バルーンを意味する。
【００１１】
ここで、「従来のカテーテルバルーン」という用語は、拡張により脈管、特に血管を拡張させるために用いられ、所望によりステントを同時に配置する、拡張可能なカテーテルバルーンを意味する。また、自己拡張ステント用に適しており、ステントの時期尚早な膨張を回避するためにステントを覆う脱着可能な保護シースを有する、ステント交換用の拡張不能なカテーテルバルーンも、この用語に含まれる。
【００１２】
しかし、自己拡張ステント用の拡張不能カテーテルバルーン用などの保護シースを有する膨張可能かつ再圧縮可能なカテーテルバルーンは一般的に、カテーテルバルーン上に配置されたコーティングが時期尚早に剥がれることのないようにするため、ステントを用いずに適用される。
【００１３】
分岐バルーンは、脈管、特に血管の、分岐を治療するためのカテーテルバルーンを意味する。このようなバルーンは、２つのアームを有するか、または２つの接続されたバルーンもしくは２つの個別のバルーンで構成することができる。２つのバルーンは、脈管分岐の治療のため、または脈管分岐内にもしくは脈管分岐に近接した場所に１つもしくは２つのステントを配置するため、同時にもしくは連続して適用される。
【００１４】
例えばＥＰ１１８９５５３Ｂ１、ＥＰ０５１９０６３Ｂ１、ＷＯ０３／０５９４３０Ａ１、およびＷＯ９４／２３７８７Ａ１に記載されているような、バルーンが圧縮された状態では「折り畳み部」を有し、バルーンの膨張中は少なくとも部分的に開くバルーンは、「折り畳みバルーン」と称される。
【００１５】
細孔を有するバルーン、特に膨張時または加圧時に液体および溶液を通過させる微細孔を有するバルーンは、特殊バルーンと称される。このような微細開口部を有するバルーンは、ＥＰ０３８３４２９Ａに開示されている。さらに、「特殊バルーン」という用語は、微細針を有する、ＷＯ０２／０４３７９６Ａ２に記載されたバルーンカテーテルのような、特別に設計された表面を有するバルーン、または薬剤を担体と共にまたはそれ無しで貯蔵するために微小もしくは超微小の粗さの表面を有する、ＷＯ０３／０２６７１８Ａ１に記載されたバルーンカテ−テルを意味する。
【００１６】
「バルーン」または「カテーテルバルーン」という用語は、原則として、通常カテーテルと共に用いられる、膨張可能かつ再圧縮可能、ならびに一時的な移植が可能な任意の医療装置を意味する。
【００１７】
本発明のコーティングされたバルーンは、ステントを用いずに使用してもよいし、圧着ステントを用いて使用してもよい。本明細書において、これらのバルーンの使用は、狭窄した脈管の初期治療に限定されず、特に続発する再狭窄（例えば、ステント内再狭窄）を食い止めるため、および収縮の繰り返しを回避するために、本発明の範囲内で拡張される。
【００１８】
カテーテルバルーンは、一般的な材料、特に以下にさらに説明されるようなポリマーからなり、特にＰＡ１２、ポリエステル、ポリウレタン、ポリアクリレート、ポリエーテル等のポリアミドで形成することができる。
【００１９】
ステントも、外科用ステンレス鋼、チタン、クロム、バナジウム、タングステン、モリブデン、金、ニチノール、マグネシウム、鉄、前記金属の合金、ならびに高分子材料、好ましくはキトサン、ヘパラン、ポリヒドロキシ酪酸（ＰＨＢ）、ポリグリセリド、ポリラクチド、および前記物質のコポリマー等の吸収性高分子材料等の一般的材料で形成することができる。
【００２０】
好ましくは、本発明のコーティングされたカテーテルバルーンは、圧着ステントを用いずに使用されるが、圧着ステントを用いて使用することも可能であり好ましい。コーティングされたバルーンに加えて圧着ステントを用いる場合は、ステントはコーティングしなくても（むき出しのステント）、またはコーティングしてもよい。この場合、ステントは、カテーテルバルーンのコーティングとは異なるコーティングを有してもよく、また異なる薬剤を有してもよい。
【００２１】
「コーティング」という用語は、カテーテルバルーンの表面のコーティングだけでなく、折り畳み部、空洞、細孔、微細針、またはバルーン材料の上、間、もしくは内部のその他の充填可能な領域の充填もしくはコーティングも含んでもよい。
【００２２】
薬剤とは、薬理活性を有する物質を意味する。抗再狭窄成分は、伸張された脈管の再閉塞の原因となり得る平滑筋細胞の増殖を阻害する物質を含む。本発明の好ましい抗再狭窄成分としては、パクリタキセル、ドセタキセル、ラパマイシン（シロリムス）、バイオリムスＡ９、ゾタロリムス、エベロリムス、ミオリムス、ノボリムス、ピメクロリムス、タクロリムス、リダホロリムスおよびテムシロリムスが挙げられる。パクリタキセルの使用は、特に好ましい。さらに好ましいのは、シロリムス、またはシロリムスとパクリタキセルの組み合わせの使用である。
【００２３】
原則として、任意の薬剤および薬剤の組み合わせを使用することができる。しかし、パクリタキセルまたはシロリムスとその他の薬剤との組み合わせが好ましい。
溶媒としては、ジクロロメタン、クロロホルム、エタノール、アセトン、ヘプタン、ｎ−ヘキサン、ＤＭＦ、ＤＭＳＯ、メタノール、プロパノール、テトラヒドロフラン（ＴＨＦ）、塩化メチレン、メチルアセテート、エチルアセテート、エーテル、石油エーテル、アセトニトリル、酢酸エチルおよびメチルエステル、シクロヘキサン、および対応する混合物等の揮発性有機化合物が使用される。コーティング材料（例えば、ヒドロゲルか水溶性薬剤か）によっては、水の存在が望ましい場合もある。特に好ましいのは、アセトン、エタノール、およびエチルアセテートである。薬剤および輸送促進分子分散剤によっては、グリセロール、エチレングリコール、または水等の極性溶媒も使用することができる。
【００２４】
分子分散剤は、本発明の意図において、相互に化学反応を起こすことなく少なくとも１つの抗再狭窄成分と混合物を形成する物質である。さらに、抗再狭窄成分は、分子状および粒径＜１ｎｍで、輸送促進分子分散剤中に微細に分散された状態で存在してもよい。１つのまたは複数の薬剤は、微細に、好ましくは輸送促進分子分散剤と均質に分散され、カテーテルバルーンから血流中に時期尚早に放出されないため、本発明のコーティングは有利である。従って、本発明の好ましい実施形態では、少なくとも１つの薬剤は、少なくとも１つの輸送促進分子分散剤中に埋め込まれるか、または好ましくは分子形態、もしくは１ｎｍ未満の平均粒径を有する粒子形態で貯蔵される。
【００２５】
本発明によれば、バルーンカテーテルの表面から脈管壁の細胞および／または組織への、またはその中への、少なくとも１つの薬剤の移動を、輸送促進因子を用いない同一の薬剤の移動と比較して増加させる物質を、輸送促進剤と呼ぶ。従って、輸送促進剤は、薬剤の脈管内への吸収または薬剤の脈管壁上への移動を加速および促進する物質であり、これにより、既存の薬剤または薬剤の組み合わせを短時間の接触中に制御することができ、所定の用量を脈管壁に移動させることができる。
【００２６】
従来の技術と比較して、少なくとも１つの薬剤は、２〜３分の時間枠内で、好ましくは１分、より好ましくは５０秒、さらにより好ましくは４０秒、特に好ましくは３０秒で、バルーン表面から細胞壁まで移動される。また、このため、バルーンカテーテルの脈管壁との接触が短く、特に冠状動脈において脈管の閉鎖がほんの短い期間で済み、従って心臓発作のリスクが減少するため、少なくとも１つの薬剤の最大部分を脈管壁に短い時間内で移動させるという特徴は有利である。また、拡張時間が短いため、脈管の微小亀裂のリスクが低減する。
【００２７】
本発明によれば、輸送促進分子分散剤は、バルーンカテーテルの導入中にはその表面に少なくとも１つの薬剤を保持し、バルーンカテーテルの拡大中には標的部位に少なくとも１つの薬剤を最適に移動させることを確保する役割を果たす。
【００２８】
本発明によれば、少なくとも１つの抗再狭窄成分と少なくとも１つの輸送促進分子分散剤の量の比率が、抗再狭窄成分：輸送促進分子分散剤＝９５重量％：５重量％〜抗再狭窄成分：輸送促進分子分散剤＝５重量％：９５重量％であることが特に好ましい。好ましい実施形態では、少なくとも１つの抗再狭窄成分と少なくとも１つの輸送促進分子分散剤の量の比率が、抗再狭窄成分：輸送促進分子分散剤＝９０重量％：１０重量％〜抗再狭窄成分：輸送促進分子分散剤＝１０重量％：９０重量％である。より好ましくは、少なくとも１つの抗再狭窄成分と少なくとも１つの輸送促進分子分散剤の量の比率は、抗再狭窄成分：輸送促進分子分散剤＝９５重量％：５重量％〜抗再狭窄成分：輸送促進分子分散剤＝７０重量％：３０重量％である。
【００２９】
本発明によれば、以下の一般式（Ｉ）の化合物が輸送促進分子分散剤として使用される。
【００３０】
【化１】
2013539371.tif 000002
式中、
Ｘ1は、以下の残基の１つを表す。
−Ｌ1−Ｒ18、−Ｃ（Ｒ3）（Ｒ4）−Ｌ1−Ｒ18、−Ｌ1−Ｃ（Ｒ3）（Ｒ4）−Ｒ18、−Ｃ（Ｒ3）（Ｒ4）−Ｌ1−Ｃ（Ｒ5）（Ｒ6）−Ｒ18、−Ｌ1−Ｙ−Ｒ18、−Ｙ−Ｌ1−Ｒ18、−Ｙ−Ｃ（Ｒ3）（Ｒ4）−Ｌ1−Ｒ18、−Ｃ（Ｒ3）（Ｒ4）−Ｙ−Ｌ1−Ｒ18、−Ｃ（Ｒ3）（Ｒ4）−Ｌ1−Ｙ−Ｒ18、−Ｙ−Ｌ1−Ｃ（Ｒ3）（Ｒ4）−Ｒ18、−Ｌ1−Ｙ−Ｃ（Ｒ3）（Ｒ4）−Ｒ18、−Ｌ1−Ｃ（Ｒ3）（Ｒ4）−Ｙ−Ｒ18、−Ｙ−Ｃ（Ｒ3）（Ｒ4）−Ｌ1−Ｃ（Ｒ5）（Ｒ6）−Ｒ18、−Ｃ（Ｒ3）（Ｒ4）−Ｙ−Ｌ1−Ｃ（Ｒ5）（Ｒ6）−Ｒ18、−Ｃ（Ｒ3）（Ｒ4）−Ｌ1−Ｙ−Ｃ（Ｒ5）（Ｒ6）−Ｒ18、−Ｃ（Ｒ3）（Ｒ4）−Ｌ1−Ｃ（Ｒ5）（Ｒ6）−Ｙ−Ｒ18。
【００３１】
Ｘ2は、以下の残基の１つを表す。
−Ｒ7、（−ＣＨ2−）p−Ｒ7、（−Ｏ−ＣＨ2−）p−Ｒ7。
Ｘ3は、以下の残基の１つを表す。
−Ｍ1−Ｒ26、−Ｍ1−Ｍ2−Ｒ26、−Ｍ1−（Ｍ2）r−Ｍ3−Ｒ26、−Ｍ1−（Ｍ2）r−Ｍ3−（Ｍ4）s−Ｒ26。
【００３２】
Ｘ4は、以下の残基の１つを表す。
−Ｌ2−Ｒ19、−Ｃ（Ｒ10）（Ｒ11）−Ｌ2−Ｒ19、−Ｌ2−Ｃ（Ｒ10）（Ｒ11）−Ｒ19、−Ｃ（Ｒ10）（Ｒ11）−Ｃ（Ｒ12）（Ｒ13）−Ｌ2−Ｒ19、−Ｃ（Ｒ10）（Ｒ11）−Ｌ2−Ｃ（Ｒ12）（Ｒ13）−Ｒ19、−Ｌ2−Ｃ（Ｒ10）（Ｒ11）−Ｃ（Ｒ12）（Ｒ13）−Ｒ19。
【００３３】
Ｌ1は、以下の基の１つを表す。
【００３４】
【化２】
2013539371.tif 000003
Ｌ2は、以下の基の１つを表す。
−Ｏ−ＣＯ−、−ＮＨ−ＣＯ−、−ＣＯ−、−Ｏ−、−ＮＨ−、−ＣＯ−Ｏ−、−ＣＯ−ＮＨ−、−ＮＨ−ＣＯ−Ｏ−、−Ｏ−ＣＯ−ＮＨ−、−Ｏ−ＣＯ−Ｏ−、−ＮＨ−ＣＯ−ＮＨ−。
【００３５】
Ｍ1は、以下の基の１つを表す。
【００３６】
【化３】
2013539371.tif 000004
Ｍ2は、以下の基の１つを表す。
−ＣＨ2−、−ＣＨ2−ＣＨ2−、−ＣＨ2−ＣＨ2−ＣＨ2−、−ＣＨ2−ＣＨ2−ＣＨ2−ＣＨ2−、−Ｏ−、−Ｏ−ＣＨ2−、−Ｏ−ＣＨ2−ＣＨ2−、−Ｏ−ＣＨ2−ＣＨ2−ＣＨ2−、−Ｏ−ＣＨ2−ＣＨ2−ＣＨ2−ＣＨ2−、−Ｏ−ＣＯ−、−Ｏ−ＣＯ−ＣＨ2−、−Ｏ−ＣＯ−ＣＨ2−ＣＨ2−、−Ｏ−ＣＯ−ＣＨ2−ＣＨ2−ＣＨ2−、−Ｏ−ＣＯ−ＣＨ2−ＣＨ2−ＣＨ2−ＣＨ2−、−ＣＯ−、−ＣＯ−ＣＨ2−、−ＣＯ−ＣＨ2−ＣＨ2−、−ＣＯ−ＣＨ2−ＣＨ2−ＣＨ2−、−ＣＯ−ＣＨ2−ＣＨ2−ＣＨ2−ＣＨ2−。
【００３７】
Ｍ3は、以下の基の１つを表す。
結合基、−ＮＨ−、−ＮＨ−ＣＯ−、−ＮＨ−ＣＯ−ＮＨ−、−ＮＨ−ＣＳ−、−ＮＨ−ＣＳ−ＮＨ−、−ＮＨ−Ｃ（ＮＨ）−ＮＨ−。
【００３８】
Ｍ4は、以下の基の１つを表す。
（−ＣＨ2−Ｏ−ＣＨ2−）t、（−Ｏ−ＣＨ2−ＣＨ2−）t、（−ＣＨ2−ＣＨ2−Ｏ−）t。
【００３９】
Ｙは、（−ＣＨ2−）m、（−ＣＨ2−Ｏ−）m、（−Ｏ−ＣＨ2−）m、（−ＣＨ2−ＣＨ2−Ｏ−）mまたは（−ＣＨ2−ＣＨ2−ＣＨ2−Ｏ−）mを表す。
Ｒ1〜Ｒ13は、相互に独立して以下の残基を表す。
−Ｒ14〜−Ｒ30、−ＯＨ、−ＯＣＨ3、−ＯＣ2Ｈ5、−ＯＣ3Ｈ7、−Ｏ−ｃｙｃｌｏ−Ｃ3Ｈ5、−ＯＣＨ（ＣＨ3）2、−ＯＣ（ＣＨ3）3、−ＯＣ4Ｈ9、−ＯＰｈ、−ＯＣＨ2−Ｐｈ、−ＯＣＰｈ3、−ＳＨ、−ＳＣＨ3、−ＳＣ2Ｈ5、−ＳＣ3Ｈ7、−Ｓ−ｃｙｃｌｏ−Ｃ3Ｈ5、−ＳＣＨ（ＣＨ3）2、−ＳＣ（ＣＨ3）3、−ＮＯ2、−Ｆ、−Ｃｌ、−Ｂｒ、−Ｉ、−Ｐ（Ｏ）（ＯＨ）2、−Ｐ（Ｏ）（ＯＣＨ3）2、−Ｐ（Ｏ）（ＯＣ2Ｈ5）2、−Ｐ（Ｏ）（ＯＣＨ（ＣＨ3）2）2、−Ｃ（ＯＨ）［Ｐ（Ｏ）（ＯＨ）2］2、−Ｓｉ（ＣＨ3）2（Ｃ（ＣＨ3）3）、−Ｓｉ（Ｃ2Ｈ5）3、−Ｓｉ（ＣＨ3）3、−Ｎ3、−ＣＮ、−ＯＣＮ、−ＮＣＯ、−ＳＣＮ、−ＮＣＳ、−ＣＨＯ、−ＣＯＣＨ3、−ＣＯＣ2Ｈ5、−ＣＯＣ3Ｈ7、−ＣＯ−ｃｙｃｌｏ−Ｃ3Ｈ5、−ＣＯＣＨ（ＣＨ3）2、−ＣＯＣ（ＣＨ3）3、−ＣＯＯＨ、−ＣＯＣＮ、−ＣＯＯＣＨ3、−ＣＯＯＣ2Ｈ5、−ＣＯＯＣ3Ｈ7、−ＣＯＯ−ｃｙｃｌｏ−Ｃ3Ｈ5、−ＣＯＯＣＨ（ＣＨ3）2、−ＣＯＯＣ（ＣＨ3）3、−Ｏ−ＣＯ−Ｒ14、−ＣＯＮＨ2、−ＣＯＮＨＣＨ3、−ＣＯＮＨＣ2Ｈ5、−ＣＯＮＨＣ3Ｈ7、−ＣＯＮＨ−ｃｙｃｌｏ−Ｃ3Ｈ5、−ＣＯＮＨ［ＣＨ（ＣＨ3）2］、−ＣＯＮＨ［Ｃ（ＣＨ3）3］、−ＣＯＮ（ＣＨ3）2、−ＣＯＮ（Ｃ2Ｈ5）2、−ＣＯＮ（Ｃ3Ｈ7）2、−ＣＯＮ（ｃｙｃｌｏ−Ｃ3Ｈ5）2、−ＣＯＮ［ＣＨ（ＣＨ3）2］2、−ＣＯＮ［Ｃ（ＣＨ3）3］2、−ＮＨＣＯＣＨ3、−ＮＨＣＯＣ2Ｈ5、
−ＮＨＣＯＣ3Ｈ7、−ＮＨＣＯ−ｃｙｃｌｏ−Ｃ3Ｈ5、−ＮＨＣＯ−ＣＨ（ＣＨ3）2、−ＮＨＣＯ−Ｃ（ＣＨ3）3、−ＮＨＣＯ−ＯＣＨ3、−ＮＨＣＯ−ＯＣ2Ｈ5、−ＮＨＣＯ−ＯＣ3Ｈ7、−ＮＨＣＯ−Ｏ−ｃｙｃｌｏ−Ｃ3Ｈ5、−ＮＨＣＯ−ＯＣＨ（ＣＨ3）2、−ＮＨＣＯ−ＯＣ（ＣＨ3）3、−ＮＨ2、−ＮＨＣＨ3、−ＮＨＣ2Ｈ5、−ＮＨＣ3Ｈ7、−ＮＨ−ｃｙｃｌｏ−Ｃ3Ｈ5、−ＮＨＣＨ（ＣＨ3）2、−ＮＨＣ（ＣＨ3）3、−Ｎ（ＣＨ3）2、−Ｎ（Ｃ2Ｈ5）2、−Ｎ（Ｃ3Ｈ7）2、−Ｎ（ｃｙｃｌｏ−Ｃ3Ｈ5）2、−Ｎ［ＣＨ（ＣＨ3）2］2、−Ｎ［Ｃ（ＣＨ3）3］2、−ＳＯＣＨ3、−ＳＯＣ2Ｈ5、−ＳＯＣ3Ｈ7、
−ＳＯ−ｃｙｃｌｏ−Ｃ3Ｈ5、−ＳＯＣＨ（ＣＨ3）2、−ＳＯＣ（ＣＨ3）3、−ＳＯ2ＣＨ3、−ＳＯ2Ｃ2Ｈ5、−ＳＯ2Ｃ3Ｈ7、−ＳＯ2−ｃｙｃｌｏ−Ｃ3Ｈ5、−ＳＯ2ＣＨ（ＣＨ3）2、−ＳＯ2Ｃ（ＣＨ3）3、−ＳＯ3Ｈ、−ＳＯ3ＣＨ3、−ＳＯ3Ｃ2Ｈ5、−ＳＯ3Ｃ3Ｈ7、−ＳＯ3−ｃｙｃｌｏ−Ｃ3Ｈ5、−ＳＯ3ＣＨ（ＣＨ3）2、−ＳＯ3Ｃ（ＣＨ3）3、−ＳＯ2ＮＨ2、−ＯＣＦ3、−ＯＣ2Ｆ5、−Ｏ−ＣＯＯＣＨ3、−Ｏ−ＣＯＯＣ2Ｈ5、−Ｏ−ＣＯＯＣ3Ｈ7、−Ｏ−ＣＯＯ−ｃｙｃｌｏ−Ｃ3Ｈ5、−Ｏ−ＣＯＯＣＨ（ＣＨ3）2、−Ｏ−ＣＯＯＣ（ＣＨ3）3、−ＮＨ−ＣＯ−ＮＨ2、−ＮＨ−ＣＯ−ＮＨＣＨ3、−ＮＨ−ＣＯ−ＮＨＣ2Ｈ5、−ＮＨ−ＣＯ−ＮＨＣ3Ｈ7、−ＮＨ−ＣＯ−ＮＨ−ｃｙｃｌｏ−Ｃ3Ｈ5、−ＮＨ−ＣＯ−ＮＨ［ＣＨ（ＣＨ3）2］、−ＮＨ−ＣＯ−ＮＨ［Ｃ（ＣＨ3）3］、−ＮＨ−ＣＯ−Ｎ（ＣＨ3）2、−ＮＨ−ＣＯ−Ｎ（Ｃ2Ｈ5）2、−ＮＨ−ＣＯ−Ｎ（Ｃ3Ｈ7）2、−ＮＨ−ＣＯ−Ｎ（ｃｙｃｌｏ−Ｃ3Ｈ5）2、−ＮＨ−ＣＯ−Ｎ［ＣＨ（ＣＨ3）2］2、−ＮＨ−ＣＯ−Ｎ［Ｃ（ＣＨ3）3］2、−ＮＨ−ＣＳ−ＮＨ2、−ＮＨ−ＣＳ−ＮＨＣＨ3、−ＮＨ−ＣＳ−ＮＨＣ2Ｈ5、−ＮＨ−ＣＳ−ＮＨＣ3Ｈ7、−ＮＨ−ＣＳ−ＮＨ−ｃｙｃｌｏ−Ｃ3Ｈ5、
−ＮＨ−ＣＳ−ＮＨ［ＣＨ（ＣＨ3）2］、−ＮＨ−ＣＳ−ＮＨ［Ｃ（ＣＨ3）3］、−ＮＨ−ＣＳ−Ｎ（ＣＨ3）2、−ＮＨ−ＣＳ−Ｎ（Ｃ2Ｈ5）2、−ＮＨ−ＣＳ−Ｎ（Ｃ3Ｈ7）2、−ＮＨ−ＣＳ−Ｎ（ｃｙｃｌｏ−Ｃ3Ｈ5）2、−ＮＨ−ＣＳ−Ｎ［ＣＨ（ＣＨ3）2］2、−ＮＨ−ＣＳ−Ｎ［Ｃ（ＣＨ3）3］2、−ＮＨ−Ｃ（＝ＮＨ）−ＮＨ2、−ＮＨ−Ｃ（＝ＮＨ）−ＮＨＣＨ3、−ＮＨ−Ｃ（＝ＮＨ）−ＮＨＣ2Ｈ5、−ＮＨ−Ｃ（＝ＮＨ）−ＮＨＣ3Ｈ7、−ＮＨ−Ｃ（＝ＮＨ）−ＮＨ−ｃｙｃｌｏ−Ｃ3Ｈ5、−ＮＨ−Ｃ（＝ＮＨ）−ＮＨ［ＣＨ（ＣＨ3）2］、−ＮＨ−Ｃ（＝ＮＨ）−ＮＨ［Ｃ（ＣＨ3）3］、−ＮＨ−Ｃ（＝ＮＨ）−Ｎ（ＣＨ3）2、−ＮＨ−Ｃ（＝ＮＨ）−Ｎ（Ｃ2Ｈ5）2、−ＮＨ−Ｃ（＝ＮＨ）−Ｎ（Ｃ3Ｈ7）2、−ＮＨ−Ｃ（＝ＮＨ）−Ｎ（ｃｙｃｌｏ−Ｃ3Ｈ5）2、−ＮＨ−Ｃ（＝ＮＨ）−Ｎ［ＣＨ（ＣＨ3）2］2、−ＮＨ−Ｃ（＝ＮＨ）−Ｎ［Ｃ（ＣＨ3）3］2、−Ｏ−ＣＯ−ＮＨ2、−Ｏ−ＣＯ−ＮＨＣＨ3、−Ｏ−ＣＯ−ＮＨＣ2Ｈ5、
−Ｏ−ＣＯ−ＮＨＣ3Ｈ7、−Ｏ−ＣＯ−ＮＨ−ｃｙｃｌｏ−Ｃ3Ｈ5、−Ｏ−ＣＯ−ＮＨ［ＣＨ（ＣＨ3）2］、−Ｏ−ＣＯ−ＮＨ［Ｃ（ＣＨ3）3］、−Ｏ−ＣＯ−Ｎ（ＣＨ3）2、−Ｏ−ＣＯ−Ｎ（Ｃ2Ｈ5）2、−Ｏ−ＣＯ−Ｎ（Ｃ3Ｈ7）2、−Ｏ−ＣＯ−Ｎ（ｃｙｃｌｏ−Ｃ3Ｈ5）2、−Ｏ−ＣＯ−Ｎ［ＣＨ（ＣＨ3）2］2、−Ｏ−ＣＯ−Ｎ［Ｃ（ＣＨ3）3］2、−Ｏ−ＣＯ−ＯＣＨ3、−Ｏ−ＣＯ−ＯＣ2Ｈ5、−Ｏ−ＣＯ−ＯＣ3Ｈ7、−Ｏ−ＣＯ−Ｏ−ｃｙｃｌｏ−Ｃ3Ｈ5、−Ｏ−ＣＯ−ＯＣＨ（ＣＨ3）2、−Ｏ−ＣＯ−ＯＣ（ＣＨ3）3。
【００４０】
Ｒ14〜Ｒ30は、相互に独立して以下の残基を表す。
−ＣＨ2Ｆ、−ＣＨＦ2、−ＣＦ3、−ＣＨ2Ｃｌ、−ＣＨ2Ｂｒ、−ＣＨ2Ｉ、−ＣＨ2−ＣＨ2Ｆ、−ＣＨ2−ＣＨＦ2、−ＣＨ2−ＣＦ3、−ＣＨ2−ＣＨ2Ｃｌ、−ＣＨ2−ＣＨ2Ｂｒ、−ＣＨ2−ＣＨ2Ｉ、ｃｙｃｌｏ−Ｃ3Ｈ5、ｃｙｃｌｏ−Ｃ4Ｈ7、ｃｙｃｌｏ−Ｃ5Ｈ9、ｃｙｃｌｏ−Ｃ6Ｈ11、ｃｙｃｌｏ−Ｃ7Ｈ13、ｃｙｃｌｏ−Ｃ8Ｈ15、−Ｐｈ、−ＣＨ2−Ｐｈ、−ＣＰｈ3、−Ｈ、−ＣＨ3、−Ｃ2Ｈ5、−Ｃ3Ｈ7、−ＣＨ（ＣＨ3）2、−Ｃ4Ｈ9、−ＣＨ2−ＣＨ（ＣＨ3）2、−ＣＨ（ＣＨ3）−Ｃ2Ｈ5、−Ｃ（ＣＨ3）3、−Ｃ5Ｈ11、−ＣＨ（ＣＨ3）−Ｃ3Ｈ7、−ＣＨ2−ＣＨ（ＣＨ3）−Ｃ2Ｈ5、−ＣＨ（ＣＨ3）−ＣＨ（ＣＨ3）2、−Ｃ（ＣＨ3）2−Ｃ2Ｈ5、−ＣＨ2−Ｃ（ＣＨ3）3、−ＣＨ（Ｃ2Ｈ5）2、−Ｃ2Ｈ4−ＣＨ（ＣＨ3）2、−Ｃ6Ｈ13、−Ｃ7Ｈ15、−Ｃ8Ｈ17、−Ｃ3Ｈ6−ＣＨ（ＣＨ3）2、−Ｃ2Ｈ4−ＣＨ（ＣＨ3）−Ｃ2Ｈ5、−ＣＨ（ＣＨ3）−Ｃ4Ｈ9、−ＣＨ2−ＣＨ（ＣＨ3）−Ｃ3Ｈ7、−ＣＨ（ＣＨ3）−ＣＨ2−ＣＨ（ＣＨ3）2、−ＣＨ（ＣＨ3）−ＣＨ（ＣＨ3）−Ｃ2Ｈ5、−ＣＨ2−ＣＨ（ＣＨ3）−ＣＨ（ＣＨ3）2、−ＣＨ2−Ｃ（ＣＨ3）2−Ｃ2Ｈ5、−Ｃ（ＣＨ3）2−Ｃ3Ｈ7、−Ｃ（ＣＨ3）2−ＣＨ（ＣＨ3）2、−Ｃ2Ｈ4−Ｃ（ＣＨ3）3、−ＣＨ（ＣＨ3）−Ｃ（ＣＨ3）3、−ＣＨ＝ＣＨ2、−ＣＨ2−ＣＨ＝ＣＨ2、−Ｃ（ＣＨ3）＝ＣＨ2、−ＣＨ＝ＣＨ−ＣＨ3、−Ｃ2Ｈ4−ＣＨ＝ＣＨ2、−ＣＨ2−ＣＨ＝ＣＨ−ＣＨ3、−ＣＨ＝ＣＨ−Ｃ2Ｈ5、−ＣＨ2−Ｃ（ＣＨ3）＝ＣＨ2、−ＣＨ（ＣＨ3）−ＣＨ＝ＣＨ、−ＣＨ＝Ｃ（ＣＨ3）2、−Ｃ（ＣＨ3）＝ＣＨ−ＣＨ3、−ＣＨ＝ＣＨ−ＣＨ＝ＣＨ2、−Ｃ3Ｈ6−ＣＨ＝ＣＨ2、−Ｃ2Ｈ4−ＣＨ＝ＣＨ−ＣＨ3、
−ＣＨ2−ＣＨ＝ＣＨ−Ｃ2Ｈ5、−ＣＨ＝ＣＨ−Ｃ3Ｈ7、−ＣＨ2−ＣＨ＝ＣＨ−ＣＨ＝ＣＨ2、−ＣＨ＝ＣＨ−ＣＨ＝ＣＨ−ＣＨ3、−ＣＨ＝ＣＨ−ＣＨ2−ＣＨ＝ＣＨ2、−Ｃ（ＣＨ3）＝ＣＨ−ＣＨ＝ＣＨ2、−ＣＨ＝Ｃ（ＣＨ3）−ＣＨ＝ＣＨ2、−ＣＨ＝ＣＨ−Ｃ（ＣＨ3）＝ＣＨ2、−Ｃ2Ｈ4−Ｃ（ＣＨ3）＝ＣＨ2、−ＣＨ2−ＣＨ（ＣＨ3）−ＣＨ＝ＣＨ2、−ＣＨ（ＣＨ3）−ＣＨ2−ＣＨ＝ＣＨ2、−ＣＨ2−ＣＨ＝Ｃ（ＣＨ3）2、−ＣＨ2−Ｃ（ＣＨ3）＝ＣＨ−ＣＨ3、−ＣＨ（ＣＨ3）−ＣＨ＝ＣＨ−ＣＨ3、−ＣＨ＝ＣＨ−ＣＨ（ＣＨ3）2、−ＣＨ＝Ｃ（ＣＨ3）−Ｃ2Ｈ5、−Ｃ（ＣＨ3）＝ＣＨ−Ｃ2Ｈ5、−Ｃ（ＣＨ3）＝Ｃ（ＣＨ3）2、−Ｃ（ＣＨ3）2−ＣＨ＝ＣＨ2、−ＣＨ（ＣＨ3）−Ｃ（ＣＨ3）＝ＣＨ2、−Ｃ（ＣＨ3）＝ＣＨ−ＣＨ＝ＣＨ2、−ＣＨ＝Ｃ（ＣＨ3）−ＣＨ＝ＣＨ2、−ＣＨ＝ＣＨ−Ｃ（ＣＨ3）＝ＣＨ2、−Ｃ4Ｈ8−ＣＨ＝ＣＨ2、−Ｃ3Ｈ6−ＣＨ＝ＣＨ−ＣＨ3、−Ｃ2Ｈ4−ＣＨ＝ＣＨ−Ｃ2Ｈ5、−ＣＨ2−ＣＨ＝ＣＨ−Ｃ3Ｈ7、−ＣＨ＝ＣＨ−Ｃ4Ｈ9、−Ｃ3Ｈ6−Ｃ（ＣＨ3）＝ＣＨ2、−Ｃ2Ｈ4−ＣＨ（ＣＨ3）−ＣＨ＝ＣＨ2、−ＣＨ2−ＣＨ（ＣＨ3）−ＣＨ2−ＣＨ＝ＣＨ2、−ＣＨ（ＣＨ3）−Ｃ2Ｈ4−ＣＨ＝ＣＨ2、−Ｃ2Ｈ4−ＣＨ＝Ｃ（ＣＨ3）2、−Ｃ2Ｈ4−Ｃ（ＣＨ3）＝ＣＨ−ＣＨ3、−ＣＨ2−ＣＨ（ＣＨ3）−ＣＨ＝ＣＨ−ＣＨ3、−ＣＨ（ＣＨ3）−ＣＨ2−ＣＨ＝ＣＨ−ＣＨ3、
−ＣＨ2−ＣＨ＝ＣＨ−ＣＨ（ＣＨ3）2、−ＣＨ2−ＣＨ＝Ｃ（ＣＨ3）−Ｃ2Ｈ5、−ＣＨ2−Ｃ（ＣＨ3）＝ＣＨ−Ｃ2Ｈ5、−ＣＨ（ＣＨ3）−ＣＨ＝ＣＨ−Ｃ2Ｈ5、−ＣＨ＝ＣＨ−ＣＨ2−ＣＨ（ＣＨ3）2、−ＣＨ＝ＣＨ−ＣＨ（ＣＨ3）−Ｃ2Ｈ5、−ＣＨ＝Ｃ（ＣＨ3）−Ｃ3Ｈ7、−Ｃ（ＣＨ3）＝ＣＨ−Ｃ3Ｈ7、−ＣＨ2−ＣＨ（ＣＨ3）−Ｃ（ＣＨ3）＝ＣＨ2、−ＣＨ（ＣＨ3）−ＣＨ2−Ｃ（ＣＨ3）＝ＣＨ2、−ＣＨ（ＣＨ3）−ＣＨ（ＣＨ3）−ＣＨ＝ＣＨ2、−ＣＨ2−Ｃ（ＣＨ3）2−ＣＨ＝ＣＨ2、−Ｃ（ＣＨ3）2−ＣＨ2−ＣＨ＝ＣＨ2、−ＣＨ2−Ｃ（ＣＨ3）＝Ｃ（ＣＨ3）2、−ＣＨ（ＣＨ3）−ＣＨ＝Ｃ（ＣＨ3）2、−Ｃ（ＣＨ3）2−ＣＨ＝ＣＨ−ＣＨ3、−ＣＨ（ＣＨ3）−Ｃ（ＣＨ3）＝ＣＨ−ＣＨ3、−ＣＨ＝Ｃ（ＣＨ3）−ＣＨ（ＣＨ3）2、−Ｃ（ＣＨ3）＝ＣＨ−ＣＨ（ＣＨ3）2、−Ｃ（ＣＨ3）＝Ｃ（ＣＨ3）−Ｃ2Ｈ5、−ＣＨ＝ＣＨ−Ｃ（ＣＨ3）3、−Ｃ（ＣＨ3）2−Ｃ（ＣＨ3）＝ＣＨ2、−ＣＨ（Ｃ2Ｈ5）−Ｃ（ＣＨ3）＝ＣＨ2、−Ｃ（ＣＨ3）（Ｃ2Ｈ5）−ＣＨ＝ＣＨ2、−ＣＨ（ＣＨ3）−Ｃ（Ｃ2Ｈ5）＝ＣＨ2、−ＣＨ2−Ｃ（Ｃ3Ｈ7）＝ＣＨ2、−ＣＨ2−Ｃ（Ｃ2Ｈ5）＝ＣＨ−ＣＨ3、−ＣＨ（Ｃ2Ｈ5）−ＣＨ＝ＣＨ−ＣＨ3、−Ｃ（Ｃ4Ｈ9）＝ＣＨ2、−Ｃ（Ｃ3Ｈ7）＝ＣＨ−ＣＨ3、−Ｃ（Ｃ2Ｈ5）＝ＣＨ−Ｃ2Ｈ5、
−Ｃ（Ｃ2Ｈ5）＝Ｃ（ＣＨ3）2、−Ｃ［Ｃ（ＣＨ3）3］＝ＣＨ2、−Ｃ［ＣＨ（ＣＨ3）（Ｃ2Ｈ5）］＝ＣＨ2、−Ｃ［ＣＨ2−ＣＨ（ＣＨ3）2］＝ＣＨ2、−Ｃ2Ｈ4−ＣＨ＝ＣＨ−ＣＨ＝ＣＨ2、−ＣＨ2−ＣＨ＝ＣＨ−ＣＨ2−ＣＨ＝ＣＨ2、−ＣＨ＝ＣＨ−Ｃ2Ｈ4−ＣＨ＝ＣＨ2、−ＣＨ2−ＣＨ＝ＣＨ−ＣＨ＝ＣＨ−ＣＨ3、−ＣＨ＝ＣＨ−ＣＨ2−ＣＨ＝ＣＨ−ＣＨ3、−ＣＨ＝ＣＨ−ＣＨ＝ＣＨ−Ｃ2Ｈ5、−ＣＨ2−ＣＨ＝ＣＨ−Ｃ（ＣＨ3）＝ＣＨ2、−ＣＨ2−ＣＨ＝Ｃ（ＣＨ3）−ＣＨ＝ＣＨ2、−ＣＨ2−Ｃ（ＣＨ3）＝ＣＨ−ＣＨ＝ＣＨ2、−ＣＨ（ＣＨ3）−ＣＨ＝ＣＨ−ＣＨ＝ＣＨ2、−ＣＨ＝ＣＨ−ＣＨ2−Ｃ（ＣＨ3）＝ＣＨ2、−ＣＨ＝ＣＨ−ＣＨ（ＣＨ3）−ＣＨ＝ＣＨ2、−ＣＨ＝Ｃ（ＣＨ3）−ＣＨ2−ＣＨ＝ＣＨ2、−Ｃ（ＣＨ3）＝ＣＨ−ＣＨ2−ＣＨ＝ＣＨ2、−ＣＨ＝ＣＨ−ＣＨ＝Ｃ（ＣＨ3）2、−ＣＨ＝ＣＨ−Ｃ（ＣＨ3）＝ＣＨ−ＣＨ3、−ＣＨ＝Ｃ（ＣＨ3）−ＣＨ＝ＣＨ−ＣＨ3、−Ｃ（ＣＨ3）＝ＣＨ−ＣＨ＝ＣＨ−ＣＨ3、−ＣＨ＝Ｃ（ＣＨ3）−Ｃ（ＣＨ3）＝ＣＨ2、−Ｃ（ＣＨ3）＝ＣＨ−Ｃ（ＣＨ3）＝ＣＨ2、−Ｃ（ＣＨ3）＝Ｃ（ＣＨ3）−ＣＨ＝ＣＨ2、−ＣＨ＝ＣＨ−ＣＨ＝ＣＨ−ＣＨ＝ＣＨ2、−Ｃ≡ＣＨ、−Ｃ≡Ｃ−ＣＨ3、−ＣＨ2−Ｃ≡ＣＨ、−Ｃ2Ｈ4−Ｃ≡ＣＨ、−ＣＨ2−Ｃ≡Ｃ−ＣＨ3、−Ｃ≡Ｃ−Ｃ2Ｈ5、
−Ｃ3Ｈ6−Ｃ≡ＣＨ、−Ｃ2Ｈ4−Ｃ≡Ｃ−ＣＨ3、−ＣＨ2−Ｃ≡Ｃ−Ｃ2Ｈ5、−Ｃ≡Ｃ−Ｃ3Ｈ7、−ＣＨ（ＣＨ3）−Ｃ≡ＣＨ、−ＣＨ2−ＣＨ（ＣＨ3）−Ｃ≡ＣＨ、−ＣＨ（ＣＨ3）−ＣＨ2−Ｃ≡ＣＨ、−ＣＨ（ＣＨ3）−Ｃ≡Ｃ−ＣＨ3、−Ｃ4Ｈ8−Ｃ≡ＣＨ、−Ｃ3Ｈ6−Ｃ≡Ｃ−ＣＨ3、−Ｃ2Ｈ4−Ｃ≡Ｃ−Ｃ2Ｈ5、−ＣＨ2−Ｃ≡Ｃ−Ｃ3Ｈ7、−Ｃ≡Ｃ−Ｃ4Ｈ9、−Ｃ2Ｈ4−ＣＨ（ＣＨ3）−Ｃ≡ＣＨ、−ＣＨ2−ＣＨ（ＣＨ3）−ＣＨ2−Ｃ≡ＣＨ、−ＣＨ（ＣＨ3）−Ｃ2Ｈ4−Ｃ≡ＣＨ、−ＣＨ2−ＣＨ（ＣＨ3）−Ｃ≡Ｃ−ＣＨ3、−ＣＨ（ＣＨ3）−ＣＨ2−Ｃ≡Ｃ−ＣＨ3、−ＣＨ（ＣＨ3）−Ｃ≡Ｃ−Ｃ2Ｈ5、−ＣＨ2−Ｃ≡Ｃ−ＣＨ（ＣＨ3）2、−Ｃ≡Ｃ−ＣＨ（ＣＨ3）−Ｃ2Ｈ5、−Ｃ≡Ｃ−ＣＨ2−ＣＨ（ＣＨ3）2、−Ｃ≡Ｃ−Ｃ（ＣＨ3）3、−ＣＨ（Ｃ2Ｈ5）−Ｃ≡Ｃ−ＣＨ3、−Ｃ（ＣＨ3）2−Ｃ≡Ｃ−ＣＨ3、−ＣＨ（Ｃ2Ｈ5）−ＣＨ2−Ｃ≡ＣＨ、−ＣＨ2−ＣＨ（Ｃ2Ｈ5）−Ｃ≡ＣＨ、−Ｃ（ＣＨ3）2−ＣＨ2−Ｃ≡ＣＨ、
−ＣＨ2−Ｃ（ＣＨ3）2−Ｃ≡ＣＨ、−ＣＨ（ＣＨ3）−ＣＨ（ＣＨ3）−Ｃ≡ＣＨ、−ＣＨ（Ｃ3Ｈ7）−Ｃ≡ＣＨ、−Ｃ（ＣＨ3）（Ｃ2Ｈ5）−Ｃ≡ＣＨ、−Ｃ≡Ｃ−Ｃ≡ＣＨ、−ＣＨ2−Ｃ≡Ｃ−Ｃ≡ＣＨ、−Ｃ≡Ｃ−Ｃ≡Ｃ−ＣＨ3、−ＣＨ（Ｃ≡ＣＨ）2、−Ｃ2Ｈ4−Ｃ≡Ｃ−Ｃ≡ＣＨ、−ＣＨ2−Ｃ≡Ｃ−ＣＨ2−Ｃ≡ＣＨ、−Ｃ≡Ｃ−Ｃ2Ｈ4−Ｃ≡ＣＨ、−ＣＨ2−Ｃ≡Ｃ−Ｃ≡Ｃ−ＣＨ3、−Ｃ≡Ｃ−ＣＨ2−Ｃ≡Ｃ−ＣＨ3、−Ｃ≡Ｃ−Ｃ≡Ｃ−Ｃ2Ｈ5、−Ｃ≡Ｃ−ＣＨ（ＣＨ3）−Ｃ≡ＣＨ、−ＣＨ（ＣＨ3）−Ｃ≡Ｃ−Ｃ≡ＣＨ、−ＣＨ（Ｃ≡ＣＨ）−ＣＨ2−Ｃ≡ＣＨ、−Ｃ（Ｃ≡ＣＨ）2−ＣＨ3、−ＣＨ2−ＣＨ（Ｃ≡ＣＨ）2、−ＣＨ（Ｃ≡ＣＨ）−Ｃ≡Ｃ−ＣＨ3。
【００４１】
上記の各式において、
ｍは、１〜１０の整数であり、
ｎは、０〜５の整数であり、
ｐは、０〜３の整数であり、
ｑは、０〜４の整数であり、
ｒは、０または１を表し、
ｓは、０または１を表し、
ｔは、１〜１０の整数である。
【００４２】
少なくとも１つの抗再狭窄成分を埋め込むための輸送促進分子分散剤は、具体的な物性により定義される。
輸送促進分子分散剤は、炭素、水素、および酸素、ならびに所望により窒素を含有する、有機化合物である。輸送促進分子分散剤が窒素を含有する場合、窒素は好ましくはアミド結合中にまたはアミン基の形態で存在する。このような化合物は、好ましくは１〜５個のアミド結合、より好ましくは２〜３個のアミド結合を含有し、および／または１〜５個のアミン基を有する。この場合、窒素原子の合計数は、１〜１０、好ましくは２〜７、より好ましくは３〜５である。
【００４３】
窒素を含有する輸送促進分子分散剤の融点は、−２０℃超、好ましくは０℃超、より好ましくは２０℃超、および特に好ましくは４０℃超であり、沸点は、少なくとも４７０℃、好ましくは少なくとも４９０℃、より好ましくは少なくとも５１０℃、より好ましくは少なくとも５３０℃、より好ましくは少なくとも５５０℃、より好ましくは少なくとも５７０℃、より好ましくは少なくとも５９０℃、より好ましくは少なくとも６１０℃、および特に好ましい沸点は少なくとも６３０℃である。加えて、沸点は６５０℃を超えてはならない。これらの沸点は、海面標準気圧、即ち７６０ｍｍＨｇで有効である。
【００４４】
好ましいサブグループは、炭素、水素、および酸素からなり、塩として存在せず、荷電せず、酸性プロトンを有さない、窒素を含まない輸送促進分子分散剤である。このような一般式（Ｉ）の輸送促進分子分散剤の沸点は、好ましくは少なくとも４００℃、より好ましくは少なくとも４２０℃、さらにより好ましくは少なくとも４４０℃、さらにより好ましくは少なくとも４６０℃、さらにより好ましくは少なくとも４７０℃、さらにより好ましくは少なくとも４８０℃、さらにより好ましくは少なくとも４９０℃、およびさらに好ましい沸点は少なくとも５００℃である。加えて、沸点は５５０℃を超えてはならない。これらの沸点は、海面標準気圧（１．０１３ｈＰａ）、即ち７６０ｍｍＨｇで有効である。
【００４５】
輸送促進分子分散剤に含まれる酸素原子の数は、１〜１５、より好ましくは２〜１４、さらにより好ましくは３〜１３、さらにより好ましくは４〜１２、さらにより好ましくは５〜１１、さらにより好ましくは６〜１０、特に好ましくは７〜９である。酸素原子は、好ましくはエステル結合またはエーテル結合中に存在する。さらに、エーテル結合が存在する場合のエーテル結合の数は、好ましくは４〜１２、より好ましくは５〜１１、さらにより好ましくは６〜１０であり、エステル結合が存在する場合のエステル結合の数は、２〜６、好ましくは３〜５である。
【００４６】
一般式（Ｉ）の窒素を含まない輸送促進分子分散剤のモル質量（分子量）は、少なくとも４００ｇ／ｍｏｌ、より好ましくは少なくとも４２０ｇ／ｍｏｌ、さらにより好ましくは少なくとも４４０ｇ／ｍｏｌ、さらにより好ましくは少なくとも４６０ｇ／ｍｏｌ、さらにより好ましくは少なくとも４７０ｇ／ｍｏｌ、さらにより好ましくは少なくとも４８０ｇ／ｍｏｌ、さらにより好ましくは少なくとも４９０ｇ／ｍｏｌであり、特に好ましくは少なくとも５００ｇ／ｍｏｌでなければならない。
【００４７】
一般式（Ｉ）の窒素を含有する輸送促進分子分散剤のモル質量（分子量）は、少なくとも４５０ｇ／ｍｏｌ、より好ましくは少なくとも４６０ｇ／ｍｏｌ、さらにより好ましくは少なくとも４７０ｇ／ｍｏｌ、さらにより好ましくは少なくとも４８０ｇ／ｍｏｌ、さらにより好ましくは少なくとも４９０ｇ／ｍｏｌ、さらにより好ましくは少なくとも５００ｇ／ｍｏｌ、さらにより好ましくは少なくとも５１０ｇ／ｍｏｌであり、特に好ましくは少なくとも５２０ｇ／ｍｏｌでなければならない。
【００４８】
加えて、少なくとも１つのアミノ基またはアミド基を有する輸送促進分子分散剤は、２５〜５０の炭素原子、好ましくは２７〜４８の炭素原子、より好ましくは２９〜４６の炭素原子、さらに好ましくは３１〜４４の炭素原子、および特に好ましくは３３〜４２の炭素原子を有する。この場合、窒素を含まない輸送促進分子分散剤は、２０〜４０の炭素原子、好ましくは２２〜３８の炭素原子、より好ましくは２４〜３６の炭素原子、より好ましくは２６〜３４の炭素原子、および特に好ましくは２８〜３２の炭素原子を有する。
【００４９】
窒素を含まない輸送促進分子分散剤の好ましい群の融点は、−８０℃超、より好ましくは−７５℃超、より好ましくは−７０℃超、より好ましくは−６５℃超、および特に好ましくは−６０℃超である。これらの融点は、特に直鎖アルキル残基により得られる。さらに、一般式（Ｉ）の輸送促進分子分散剤の密度は、０．８０ｇ／ｃｍ〜１．２０ｇ／ｃｍ3、より好ましくは０．８５ｇ／ｃｍ3〜１．１５ｇ／ｃｍ3、より好ましくは０．９０ｇ／ｃｍ3〜１．１０ｇ／ｃｍ3、より好ましくは０．９３ｇ／ｃｍ3〜１．１２ｇ／ｃｍ3、および特に好ましくは０．９５ｇ／ｃｍ3〜１．０５ｇ／ｃｍ3であってもよいことがわかった。
【００５０】
さらに、好ましい一般式（Ｉ）の輸送促進分子分散剤の引火点は、５０℃超、より好ましくは６０℃超、さらにより好ましくは７０℃超、さらにより好ましくは８０℃超、さらにより好ましくは８５℃超、さらにより好ましくは９０℃超、さらにより好ましくは９５℃超、および特に好ましくは１００℃超であることがわかった。
【００５１】
好ましい一般式（Ｉ）の輸送促進分子分散剤の測定屈折率は、１．４０超１．５０未満であった。従って、１．４００〜１．５００の屈折率ｎ２０／Ｄが好ましく、１．４１０〜１．４９０の屈折率ｎ２０／Ｄがより好ましく、さらに好ましくは１．４２０〜１．４８０、さらにより好ましくは１．４３０〜１．４７０、さらにより好ましくは１．４３５〜１．４６５、特に好ましくは１．４４０〜１．４６０である。このような輸送促進分子分散剤は、より好ましいほど、上述の化学的および物理的パラメータはより好ましい範囲に入ることに留意されたい。従って、最も好適なのは、上述のパラメータ全てが最も好ましい範囲に入る輸送促進分子分散剤である。
【００５２】
従って、屈折率ｎ２０／Ｄが１．４９、沸点が４８０℃、および密度が１．１８ｇ／ｃｍ3である窒素を含有する輸送促進分子分散剤と、屈折率ｎ２０／Ｄが１．４４、沸点が５１０℃、および密度が１．００ｇ／ｃｍ3である窒素を含まない輸送促進分子分散剤は、両方の化合物のその他のパラメータが全て好ましい範囲から外れている場合、前者は後者より好ましくない。
【００５３】
加えて、屈折率、沸点、融点、引火点、および密度の決定は、当業者に周知の標準的な方法によって行われることに言及しておく。
表１に記載されている１９の輸送促進分子分散剤について、抗再狭窄成分とともに、カテーテルバルーンのコーティング材料として試験を行った。これらの１９の化合物は、市販のものか、またはエステル化もしくはアミド結合の調製等の簡単な合成や標準的な反応により入手可能であるかのいずれかである。
【００５４】
【表１ａ】
2013539371.tif 000005
【００５５】
【表１ｂ】
2013539371.tif 000006
【００５６】
【表１ｃ】
2013539371.tif 000007
【００５７】
【表１ｄ】
2013539371.tif 000008
【００５８】
【表１ｅ】
2013539371.tif 000009
圧着ステントを有するまたは有さないバルーンカテーテルを完全にまたは部分的にコーティングするため、少なくとも１つの抗再狭窄成分と、少なくとも１つの輸送促進分子分散剤と、潜在的添加剤を含む溶媒または溶媒混合物とからなる溶液を、スプレー法、ディッピング法、ブラシ法、注入法、ドラッグ（ｄｒａｇ）法（引張り法）、ロール法、もしくはピペット法、またはエレクトロスピニング法により、バルーンカテーテル表面上に塗布する。バルーンカテーテルは、部分的に又は完全に、膨張した状態もしくは折り畳んだ状態のいずれかで、または圧着ステントとともに、コーティングすることができる。これらのコーティング方法は、現況技術であり、国際公開第ＷＯ２００８０８６７９４号に詳細に開示されている。ホスファチジルイノシトール、ホスファチジルセリン、ホスファチジルコリン、ホスファチジルエタノールアミン、ホスファチジン酸、またはその他のホスファチジル化合物は、任意の添加剤として、コーティングの全構成成分の５０重量％の量まで使用することができる。
【００５９】
「コーティング」という用語は、カテーテルバルーンの表面のコーティングだけでなく、折り畳み部、空洞、細孔、微細針、またはバルーン材料の上、間、もしくは内部のその他の充填可能な空間の充填またはコーティングも含むことが意図される。
【００６０】
本発明のバルーン表面上のコーティングの乾燥は、例えば、空気乾燥（ｌｅａｖｉｎｇ  ｔｏａｉｒ）（溶媒の蒸発）や、国際公開第ＷＯ２００８０８６７９４号に詳細に記載されている、加熱および／または減圧（真空）または回転乾燥により、行うことができる。これにより溶媒が除去され、コーティングは、少なくとも１つの薬剤と少なくとも１つの輸送促進分子分散剤とからなる。
【００６１】
従って、コーティング溶液は、少なくとも１つの薬剤と、少なくとも１つの輸送促進分子分散剤と、少なくとも１つの溶媒を含有する。
以下の実施例は、本発明を説明するものであり、本発明を特定の実施形態に制限するものではない。
【００６２】
［実施例］
実施例１：パクリタキセルと化合物１を用いたカテーテルバルーンのコーティング
未膨張のカテーテルバルーンを水平棒上に回転可能に取り付ける。エタノール中９０重量％のパクリタキセルと１０重量％の化合物１の溶液を、スプレー装置により、カテーテルバルーン表面上に塗布する。その後、室温にて一晩、低速回転（２０ｒｐｍ）でカテーテルバルーンを乾燥させる。
【００６３】
実施例２：パクリタキセルと化合物２を用いたカテーテルバルーンのコーティング
カテーテルバルーンを水平棒上に回転可能に取り付け、メタノール中８５重量％のパクリタキセルと１５重量％の化合物２の溶液を用いて、ピペット法でコーティングする。その後、室温にて数時間、低速回転でカテーテルバルーンを乾燥させる。
【００６４】
実施例３：パクリタキセルと化合物３を用いたカテーテルバルーンのコーティング
アセトン中８０重量％のパクリタキセルと２０重量％の化合物３の溶液中にカテーテルバルーンを浸漬し、その後、室温にてその長手方向軸周りの低速回転で乾燥させる。浸漬手順をさらに２回繰り返す。
【００６５】
実施例４：パクリタキセルと化合物４を用いたカテーテルバルーンのコーティング
カテーテルバルーンを水平棒上に回転可能に取り付け、エタノール中９０重量％のパクリタキセルと１０重量％の化合物４の溶液を用いて、ピペット法でコーティングする。その後、室温にて低速回転でカテーテルバルーンを乾燥させる。
【００６６】
実施例５：パクリタキセルと化合物５を用いたカテーテルバルーンのコーティング
カテーテルバルーンを水平棒上に回転可能に取り付け、エタノール中８３重量％のパクリタキセルと１７重量％の化合物５の溶液を用いて、ピペット法でコーティングする。その後、室温にて低速回転でカテーテルバルーンを乾燥させる。
【００６７】
実施例６：パクリタキセルと化合物６を用いたカテーテルバルーンのコーティング
カテーテルバルーンを水平棒上に回転可能に取り付け、アセトン中９５重量％のパクリタキセルと５重量％の化合物６の溶液を用いて、スプレー法でコーティングする。その後、室温にて低速回転でカテーテルバルーンを乾燥させる。
【００６８】
実施例７：パクリタキセルと化合物７を用いたカテーテルバルーンのコーティング
圧縮された状態の折り畳みバルーンを水平棒上に回転可能に取り付け、エタノール中９０重量％のパクリタキセルと１０重量％の化合物７の溶液を用いて、バルーンの折り畳み部をピペット法でコーティングする。その後、真空下、室温にて、低速回転でバルーンを乾燥させる。
【００６９】
実施例８：パクリタキセルと化合物８を用いたカテーテルバルーンのコーティング
カテーテルバルーンを水平棒上に回転可能に取り付け、アセトン中９０重量％のパクリタキセルと１０重量％の輸送促進分子分散剤化合物８の溶液を用いて、スプレー法でコーティングする。その後、室温にて低速回転でカテーテルバルーンを乾燥させる。
【００７０】
実施例９：パクリタキセルと化合物９を用いたカテーテルバルーンのコーティング
カテーテルバルーンを水平棒上に回転可能に取り付け、アセトン中８６重量％のパクリタキセルと１４重量％の化合物９の溶液を用いて、スプレー法で完全にコーティングする。その後、真空下、室温にて、低速回転でカテーテルバルーンを乾燥させる。
【００７１】
実施例１０：パクリタキセルと化合物１０を用いたカテーテルバルーンのコーティング
カテーテルバルーンを水平棒上に回転可能に取り付け、アセトン中６０重量％のパクリタキセルと４０重量％の化合物１０の溶液を用いて、ドラッグ（ｄｒａｇ）法で完全にコーティングする。その後、室温にて低速回転でカテーテルバルーンを乾燥させる。
【００７２】
実施例１１：パクリタキセルと化合物１１を用いたカテーテルバルーンのコーティング
ＤＭＳＯ中４０重量％のパクリタキセルと６０重量％の化合物１１の溶液中にカテーテルバルーンを浸漬させる。その後、真空下、室温にて、低速回転でカテーテルバルーンを乾燥させる。
【００７３】
実施例１２：パクリタキセルと化合物１２を用いたカテーテルバルーンのコーティング
カテーテルバルーンを水平棒上に回転可能に取り付け、アセトン中８０重量％のパクリタキセルと２０重量％の化合物１２の溶液を用いて、ドラッグ（ｄｒａｇ）法で完全にコーティングする。その後、室温にて低速回転でカテーテルバルーンを乾燥させる。
【００７４】
実施例１３：パクリタキセルと化合物１３を用いたカテーテルバルーンのコーティング
カテーテルバルーンを水平棒上に回転可能に取り付け、アセトン中９０重量％のパクリタキセルと１０重量％の化合物１３の溶液を用いて、スプレー法で完全にコーティングする。その後、室温にて低速回転でカテーテルバルーンを乾燥させる。
【００７５】
実施例１４：パクリタキセルと化合物１４を用いたカテーテルバルーンのコーティング
カテーテルバルーンを水平棒上に回転可能に取り付け、アセトン中９１重量％のパクリタキセルと９重量％の化合物１４の溶液を用いて、ピペット法で完全にコーティングする。その後、室温にて低速回転でカテーテルバルーンを乾燥させる。
【００７６】
実施例１５：パクリタキセルと化合物１５を用いたカテーテルバルーンのコーティング
カテーテルバルーンを水平棒上に回転可能に取り付け、アセトン中８９重量％のパクリタキセルと１１重量％の化合物１５の溶液を用いて、スプレッド法で完全にコーティングする。その後、室温にて低速回転でカテーテルバルーンを乾燥させる。
【００７７】
実施例１６：パクリタキセルと化合物１６を用いたカテーテルバルーンのコーティング
カテーテルバルーンを水平棒上に回転可能に取り付け、アセトン中９０重量％のパクリタキセルと１０重量％の化合物１６の溶液を用いて、スプレー法で完全にコーティングする。その後、室温にて低速回転でカテーテルバルーンを乾燥させる。
【００７８】
実施例１７：パクリタキセルと化合物１７を用いたカテーテルバルーンのコーティング
カテーテルバルーンを水平棒上に回転可能に取り付け、アセトン中９０重量％のパクリタキセルと１０重量％の化合物１７の溶液を用いて、スプレッド法で完全にコーティングする。コーティング手順をさらに２回繰り返す。その後、室温にて低速回転でカテーテルバルーンを乾燥させる。
【００７９】
実施例１８：パクリタキセルと化合物１８を用いたカテーテルバルーンのコーティング
カテーテルバルーンを水平棒上に回転可能に取り付け、アセトン中９０重量％のパクリタキセルと１０重量％の化合物１８の溶液を用いて、スプレー法で完全にコーティングする。その後、室温にて低速回転でカテーテルバルーンを乾燥させる。
【００８０】
実施例１９：パクリタキセルと化合物１９を用いたカテーテルバルーンのコーティング
カテーテルバルーンを水平棒上に回転可能に取り付け、アセトン中９０重量％のパクリタキセルと１０重量％の化合物１９の溶液を用いて、ブラシ法で完全にコーティングする。その後、室温にて低速回転でカテーテルバルーンを乾燥させる。
【００８１】
実施例２０：ラパマイシンと化合物１を用いたカテーテルバルーンのコーティング
カテーテルバルーンを水平棒上に回転可能に取り付け、エチルアセテート中９０重量％のラパマイシンと１０重量％の化合物１の溶液を用いて、スプレー法で完全にコーティングする。その後、室温にて低速回転でカテーテルバルーンを乾燥させる。
【００８２】
実施例２１：ラパマイシンと化合物２および３の混合物を用いたカテーテルバルーンのコーティング
エチルアセテート中９０重量％のラパマイシンと、５重量％の化合物２の輸送促進分子分散剤と、５重量％の化合物３の溶液中で、カテーテルバルーンを完全にコーティングする。その後、室温にて低速回転でカテーテルバルーンを乾燥させる。
【００８３】
実施例２２：パクリタキセルとラパマイシンと化合物４の混合物を用いたカテーテルバルーンのコーティング
エチルアセテート中、４５重量％のパクリタキセルと、４５重量％のラパマイシン、及び１０重量％の化合物４の溶液を用いて、カテーテルバルーンを完全にコーティングする。その後、真空下、室温にて、低速回転でカテーテルバルーンを乾燥させる。
【００８４】
実施例２３：パクリタキセルと化合物５を用いた、圧着ステントを有するカテーテルバルーンのコーティング
カテーテルバルーンを水平棒上に回転可能に取り付け、エタノール中９０重量％のパクリタキセルと１０重量％の化合物５の溶液を用いて、スプレー法でコーティングする。その後、室温にて低速回転でカテーテルバルーンを乾燥させる。次に、このコーティングされたカテーテルバルーン上にポリラクチド製ステントを圧着し、エタノール中９０重量％のパクリタキセルと１０重量％の化合物５の溶液を用いて同様にコーティングする。
【００８５】
実施例２４：ブタの狭窄血管内でのカテーテルバルーンの使用
９０重量％のパクリタキセルと１０重量％の化合物１〜１９のコーティングを有するカテーテルバルーンの有効性を、冠状動脈が過度に伸ばされたブタを使用した動物実験で試験した。
【００８６】
ブタ１匹当たり最大３つの冠状動脈（左回旋動脈、左下行前動脈、右冠状動脈）を拡張した。一研究グループ当たり１０の冠状動脈を処置し、全脈管の結果を平均した。これらの結果を表２にまとめている。「後期管腔損失」という用語は、拡張後の血管部分の直径と、２８日後に記録された追跡血管造影図の直径の差を意味する。加えて、組織病理学試験での適用の成果を分析した。
【００８７】
【表２】
2013539371.tif 000010
化合物１〜１９でコーティングしたカテーテルバルーンを用いた実験の再狭窄データは、２８日後に、本発明のコーティングを有さないカテーテルバルーンのデータより、かなり低い数値を示した。本発明のコーティングは、脈管壁のパクリタキセル吸収量を明らかに高め、対照と比較して再狭窄率を顕著に低減した。
【００８８】
実施例２５：薬剤と輸送促進分子分散剤の原液の調製
薬剤と輸送促進分子分散剤を、アセトン中で９０重量％：１０重量％の割合で溶解させ、この溶液を撹拌しながら混合する。
【国際調査報告】
2013539371.tif 000014
2013539371.tif 000015
2013539371.tif 000016
2013539371.tif 000017
2013539371.tif 000018
2013539371.tif 000019